(57)【要約】  ワイヤレスエネルギー転送のためのベースユニット、センサ、カメラ、並びにシステム及び方法が開示される。一例のシステムでは、火器ホルスタはワイヤレスエネルギー転送ベースユニットを備えて、これが、火器が火器ホルスタに配置されているときに、送信機に対して、火器又はその構成部品（例えば火器に接続されたカメラ）に選択的にパワーを送信させるように構成されている。
2018511770.tif 000002
【特許請求の範囲】
【請求項１】
火器であって、
前記火器に取り付けられて、前記火器が収納配置にあるときにパワーを受け取るように構成されたカメラと、
前記カメラに電気的に結合されて、前記火器が収納配置にあるかどうかを検出するように構成されたセンサと、
を備え、
前記カメラが、前記火器が収納配置にないことを前記センサが検出することに応答してデータを記録するように構成されている、
ことを特徴とする火器。
【請求項２】
前記カメラが、前記火器が収納配置にあることを前記センサが検出することに応答してデータの記録を止めるように構成されている、
ことを特徴とする請求項１に記載の火器。
【請求項３】
前記カメラが、エネルギーを受け取るように構成された受信機を備える、
ことを特徴とする請求項１に記載の火器。
【請求項４】
前記収納配置が、ホルスタ、火器ラック、火器保管庫、火器ケース、ストラップ、カバー、ポケット、又は前記火器のためのハウジングによって固定された前記火器を備える、
ことを特徴とする請求項１に記載の火器。
【請求項５】
前記センサが、ＵＶセンサ、光センサ、圧力センサ、又は動きセンサである、
ことを特徴とする請求項１に記載の火器。
【請求項６】
前記火器に取り付けられた前記カメラが、前記火器が収納配置にあるときに誘導的にパワーを受け取るように構成されている、
ことを特徴とする請求項１に記載の火器。
【請求項７】
前記火器に取り付けられた前記カメラが、ワイヤレスパワー転送又はエネルギーハーベスティングによりパワーを受け取るように構成されている、
ことを特徴とする請求項１に記載の火器。
【請求項８】
前記カメラが、再充電可能バッテリ又はキャパシタを備える、
ことを特徴とする請求項１に記載の火器。
【請求項９】
火器ホルスタであって、
前記火器ホルスタに配置されるように構成された火器に搭載されたカメラへのワイヤレスパワー送達のために構成された送信機と、
バッテリ又はパワーを受け取るように構成されたポートを備える、前記送信機に結合された電源と、
前記電源及び前記送信機に結合されたコントローラであって、前記火器が前記火器ホルスタに置かれているときに、前記送信機に前記電源から前記火器に選択的にパワーを送信させるように構成されているコントローラと、
前記カメラから、検出されたデータを受け取るように構成された受信機と、
前記受け取られた検出されたデータを保存するように構成されたメモリと、
を備えることを特徴とする火器ホルスタ。
【請求項１０】
前記送信機及び前記受信機が送受信機に一体化されている、
ことを特徴とする請求項９に記載の火器ホルスタ。
【請求項１１】
前記火器ホルスタが前記火器を収納配置に維持する様に構成され、火器ラック、火器保管庫、火器ケース、ストラップ、カバー、ポケット、又は前記火器のためのハウジングを備える、
ことを特徴とする請求項９に記載の火器ホルスタ。
【請求項１２】
前記送信機、前記電源、前記コントローラ、前記受信機、及び前記メモリを取り囲むハウジングをさらに備えており、
前記ハウジングが前記火器ホルスタと一体化されている、
ことを特徴とする請求項９に記載の火器ホルスタ。
【請求項１３】
前記送信機が磁性コアを備えるコイルを備えている、
ことを特徴とする請求項９に記載の火器ホルスタ。
【請求項１４】
前記送信機の前記コイルが、前記火器が前記火器ホルスタに置かれると前記カメラのコイルと誘導的に結合される、
ことを特徴とする請求項１３に記載の火器ホルスタ。
【請求項１５】
前記受信機がさらに、センサから信号を受け取るように構成されており、
前記コントローラが、前記受け取られた信号に応答して、前記送信機に、前記電源から前記カメラへ選択的にパワーを送信させるように構成されている、
ことを特徴とする請求項９に記載の火器ホルスタ。
【請求項１６】
前記センサが、心拍数センサ、光センサ、熱センサ、Ｏ２センサ、ＣＯセンサ、ＣＯ２センサ、エアクォリティセンサ、放射センサ、ＵＶセンサ、圧力センサ、動きセンサ、又は加速度計である、
ことを特徴とする請求項１５に記載の火器ホルスタ。
【請求項１７】
前記センサが、前記火器が前記火器ホルスタにあるかどうかを検出するように構成されている、
ことを特徴とする請求項１５に記載の火器ホルスタ。
【請求項１８】
ヘッドウエアであって、
前記ヘッドウエア上に搭載されたカメラへのワイヤレスパワー送達のために構成された送信機と、
バッテリ又はパワーを受け取るように構成されたポートを備える、前記送信機に結合された電源と、
前記電源及び前記送信機に結合され、前記送信機に前記電源から前記カメラに選択的にパワーを送信させるように構成されているコントローラと、
前記カメラから、検出されたデータを受け取るように構成された受信機と、
前記受け取られた検出されたデータを保存するように構成されたメモリと、
を備えることを特徴とするヘッドウエア。
【請求項１９】
前記送信機、前記電源、前記コントローラ、前記受信機、及び前記メモリを取り囲むハウジングをさらに備えており、
前記ハウジングが前記ヘッドウエアに結合されている、
ことを特徴とする請求項１８に記載のヘッドウエア。
【請求項２０】
前記ヘッドウエアが帽子又はヘルメットを備えている、
ことを特徴とする請求項１８に記載のヘッドウエア。
【請求項２１】
前記送信機の前記コイルが前記カメラのコイルと誘導的に結合される、
ことを特徴とする請求項１８に記載のヘッドウエア。
【請求項２２】
前記受信機がさらに、センサから信号を受け取るように構成されており、
前記コントローラが、前記受け取られた信号に応答して、前記送信機に、前記電源から前記カメラへ選択的にパワーを送信させるように構成されている、
ことを特徴とする請求項１８に記載のヘッドウエア。
【請求項２３】
前記センサが、心拍数センサ、光センサ、熱センサ、Ｏ２センサ、ＣＯセンサ、ＣＯ２センサ、エアクォリティセンサ、放射センサ、ＵＶセンサ、圧力センサ、動きセンサ、又は加速度計である、
ことを特徴とする請求項２２に記載のヘッドウエア。
【請求項２４】
ベースユニットにおいて、前記ベースユニットから離れたデバイスの状態を受け取るステップと、
前記デバイスの前記状態に応答して、前記ベースユニットから前記デバイスに搭載されたカメラに、記録を開始するコマンドをワイヤレスに送信するステップと、
前記ベースユニットにおいて、前記カメラからのデータをワイヤレスに受け取るステップと、
を包含する方法。
【請求項２５】
前記デバイスが懐中電灯であり、
前記状態が、前記懐中電灯が光を作り出している状態を含む、
ことを特徴とする請求項２４に記載の方法。
【請求項２６】
前記デバイスが火器であり、
前記状態が、前記火器がホルスタから離れている状態を含む、
ことを特徴とする請求項２４に記載の方法。
【請求項２７】
前記データを前記ベースユニットから他の関係部位に送信するステップをさらに含む、
ことを特徴とする請求項２４に記載の方法。
【発明の詳細な説明】
【技術分野】
【０００１】
本開示は、ワイヤレスエネルギー転送を利用する警察及びセキュリティカメラのためのシステム及び方法に関する。
【背景技術】
【０００２】
本願は、２０１４年１２月２９日付けで出願された「自動カメラ起動を伴う警察システム」という名称の米国仮特許出願第６２／０９７，２１２号の米国特許法第１１９条に基づくより早い出願日の優先権を主張する。前述の仮特許出願は、任意の目的で、その全体が参照によってここに援用される。
【０００３】
本願は、２０１４年１２月３０日付けで出願された「自動カメラ起動及び表示を伴う警察システム」という名称の米国仮特許出願第６２／０９７，９５４号の米国特許法第１１９条に基づくより早い出願日の優先権を主張する。前述の仮特許出願は、任意の目的で、その全体が参照によってここに援用される。
【０００４】
本願は、２０１５年１月１６日付けで出願された「自動カメラ起動及び表示を伴う拡張された警察システム」という名称の米国仮特許出願第６２／１０４，５０４号の米国特許法第１１９条に基づくより早い出願日の優先権を主張する。前述の仮特許出願は、任意の目的で、その全体が参照によってここに援用される。
【０００５】
本願は、２０１５年２月６日付けで出願された「ワイヤレスパワー及びエネルギー転送を使用する警察及びセキュリティカメラシステム」という名称の米国仮特許出願第６２／１１２，６８３号の米国特許法第１１９条に基づくより早い出願日の優先権を主張する。前述の仮特許出願は、任意の目的で、その全体が参照によってここに援用される。
【０００６】
本願は、２０１５年２月９日付けで出願された「高共振結合を使用する警察及びセキュリティカメラシステム」という名称の米国仮特許出願第６２／１１３，６２２号の米国特許法第１１９条に基づくより早い出願日の優先権を主張する。前述の仮特許出願は、任意の目的で、その全体が参照によってここに援用される。
【０００７】
本願は、２０１５年２月１６日付けで出願された「高共振結合を使用する拡張された警察及びセキュリティカメラシステム」という名称の米国仮特許出願第６２／１１６，６５６号の米国特許法第１１９条に基づくより早い出願日の優先権を主張する。前述の仮特許出願は、任意の目的で、その全体が参照によってここに援用される。
【０００８】
本願は、２０１５年３月３日付けで出願された「高共振結合した警察及びセキュリティカメラシステム」という名称の米国仮特許出願第６２／１２７，７８９号の米国特許法第１１９条に基づくより早い出願日の優先権を主張する。前述の仮特許出願は、任意の目的で、その全体が参照によってここに援用される。
【０００９】
本願は、２０１５年４月２８日付けで出願された「ワイヤレスエネルギー転送ができる警察及びセキュリティカメラシステム」という名称の米国仮特許出願第６２／１５４，０２３号の米国特許法第１１９条に基づくより早い出願日の優先権を主張する。前述の仮特許出願は、任意の目的で、その全体が参照によってここに援用される。
【００１０】
本願は、２０１５年５月２８日付けで出願された「ワイヤレスエネルギー転送ができるさらに拡張された警察及びセキュリティカメラシステム」という名称の米国仮特許出願第６２／１６７，７４７号の米国特許法第１１９条に基づくより早い出願日の優先権を主張する。前述の仮特許出願は、任意の目的で、その全体が参照によってここに援用される。
【００１１】
本願は、２０１５年６月１０日付けで出願された「ワイヤレスエネルギー転送ができるロバストな警察及びセキュリティカメラシステム」という名称の米国仮特許出願第６２／１７３，７５４号の米国特許法第１１９条に基づくより早い出願日の優先権を主張する。前述の仮特許出願は、任意の目的で、その全体が参照によってここに援用される。
【００１２】
本願は、２０１５年６月２９日付けで出願された「ワイヤレスエネルギー転送を利用した警察及びセキュリティカメラシステム」という名称の米国仮特許出願第６２／１８６，２９７号の米国特許法第１１９条に基づくより早い出願日の優先権を主張する。前述の仮特許出願は、任意の目的で、その全体が参照によってここに援用される。
【００１３】
本願は、２０１５年７月１０日付けで出願された「エネルギーハーベスティングを備えているワイヤレスエネルギー転送を利用した警察及びセキュリティカメラシステム」という名称の米国仮特許出願第６２／１９０，８５７号の米国特許法第１１９条に基づくより早い出願日の優先権を主張する。前述の仮特許出願は、任意の目的で、その全体が参照によってここに援用される。
【００１４】
本願は、２０１５年１２月１５日付けで出願された「距離を隔てた電子デバイスをワイヤレスに充電するためのワイヤレスパワーベースユニット並びにシステム及び方法」という名称の米国正規特許出願第１４／９６９，４５５号を、任意の目的で、その全体を参照によってここに援用する。
【発明の概要】
【発明が解決しようとする課題】
【００１５】
警察及びセキュリティカメラは制約を有する。例えば、ユーザは、カメラが記録を始めるためにカメラを起動することを忘れてはならない。カメラが装着者のシフト全体に渡ってオンしたままにされると、そのときには、保存されカタログされ及び／又はレビューされるべきデータ量が、非実用的に大きくなり得る。加えて、使用中に、ボディーカメラは対象領域から離れ得て、このことは、重要な情報が記録から除かれ得る結果となり得る。さらに、警察及びセキュリティ要員は、彼らのタスクに干渉しないほど十分に小さい電子ウエアラブルデバイスを望む。現存している警察及びセキュリティカメラシステムは、大きすぎて効果的ではないことがある。法の執行のためにデータ（例えば動画、画像、及び音声）を獲得して送信する、より効率的且つ有効な方法に対する必要性が存在する。
【課題を解決するための手段】
【００１６】
ワイヤレスエネルギー転送のためのベースユニット、システム及び方法の例が記述される。一例では、火器は、火器に取り付けられたカメラと、カメラに電子的に結合されて火器が収納配置にあるかどうかを検出するように構成されたセンサと、を含む。カメラは、火器が収納配置にあるときにパワーを誘導的に受け取るように構成され得る。カメラはさらに、火器が収納配置に無いことをセンサが検出することに応答してデータを記録するように構成され得る。一例では、カメラは、火器が収納配置にあることをセンサが検出することに応答してデータの記録を止めるように構成され得る。カメラは、距離を隔てた送信機からワイヤレスにパワーを受け取るように構成された受信機を備え得る。収納配置は、例えばホルスタ、火器ラック、火器保管庫、又はストラップによって固定された火器を含み得る。センサは、例えばＵＶセンサ、光センサ、圧力センサ、又は動きセンサであり得る。カメラは、パワーのためのエネルギー、例えばＷｉ−Ｆｉエネルギー及び／又は無線周波数エネルギーをハーベストするように構成され得る。一例では、記録されたデータは、画像キャプチャデータ、音声キャプチャデータ、ジオロケーションデータ、及び／又は日時データの一つ又はそれ以上を含み得る。
【００１７】
一例では、火器ホルスタは、火器ホルスタに配置するように構成された火器に搭載されたカメラへのワイヤレスパワー送達のために構成された送信機を含む。一例では、送信機に結合されたバッテリと、バッテリ及び送信機に結合されて、火器が火器ホルスタに置かれているときに送信機にバッテリから火器へ選択的にパワーを送信させるように構成されたコントローラと、がある。一例では、火器ホルスタはさらに、検知されたデータをカメラから受け取るように構成された受信機と、受信され検知されたデータを保存するように構成されたメモリと、を含み得る。
【００１８】
火器ホルスタは、いくつかの例では、送信機、バッテリ、コントローラ、受信機、及びメモリを取り囲むハウジングを含み得て、ハウジングは火器ホルスタに結合されている。送信機は、磁性コアを備えるコイルを備え得る。送信機のコイルは、火器が火器ホルスタに置かれているときにカメラのコイルと誘導的に結合され得る。一例では、受信機はさらに、センサから信号を受け取るように構成され得て、コントローラはさらに、受信された信号に応答して、送信機にバッテリからカメラへパワーを選択的に送信させるように構成され得る。一例では、センサは、心拍数センサ、光センサ、熱センサ、Ｏ２センサ、ＣＯセンサ、ＣＯ２センサ、エアクォリティセンサ、放射線センサ、又は加速度計である。一例では、センサは、火器が火器ホルスタにあるかどうかを検出するように構成される。
【００１９】
一例では、ヘッドウエアは、ヘッドウエアに搭載されたカメラにパワーをワイヤレスに送達するように構成された送信機を備え得る。一例では、ヘッドウエアはさらに、送信機に結合されたバッテリと、バッテリ及び送信機に結合されて、送信機にパワーをバッテリからカメラへ選択的に送信させるように構成されたコントローラと、を含む。ヘッドウエアはさらに、検知されたデータをカメラから受け取るように構成された受信機と、受信され検知されたデータを保存するように構成されたメモリと、を含み得る。
【００２０】
いくつかの例では、ヘッドウエアはさらに、送信機、バッテリ、コントローラ、受信機、及びメモリを取り囲むハウジングを含み得て、ハウジングはヘッドウエアに結合されている。ヘッドウエアは、帽子又はヘルメットを含み得る。送信機のコイルはカメラのコイルと誘導的に結合され得る。受信機はさらに、センサから信号を受け取るように構成され得て、コントローラはさらに、受信された信号に応答して、送信機にバッテリからカメラへパワーを選択的に送信させるように構成され得る。一例では、センサは、心拍数センサ、光センサ、熱センサ、Ｏ２センサ、ＣＯセンサ、ＣＯ２センサ、エアクォリティセンサ、放射線センサ、又は加速度計である。
【００２１】
一例では、方法は、ベースユニットにて、ベースユニットから離れたデバイスの状態を受け取るステップと、デバイスの状態に応答して、ベースユニットからデバイスに搭載されたカメラへパワー信号をワイヤレスに送信するステップと、カメラからのデータをベースユニットでワイヤレスに受け取るステップと、を含み得る。一例では、デバイスは懐中電灯であり得て、状態は懐中電灯が点灯していることを含む。一例では、デバイスは火器であり得て、状態は火器がホルスタから離れていることを含む。一例では、方法はさらに、データをベースユニットから他の関係部位に送信することを含み得る。
【図面の簡単な説明】
【００２２】
ここに記述された技術の例示的な特徴、局面、及び例に付随した効果は、添付の図面とともにみられたときに、様々な実施形態の以下の詳細な記述から明らかになるであろう。
【００２３】
【図１】本開示の例に従ったシステムのブロック図である。
【図２】本開示に従った電子デバイスのための受信コイル及びベースユニットのための送信コイルの一例を描いた図である。
【図３】本開示の例に従ったベースユニットのブロック図である。
【図４】ここにおけるいくつかの例に従ったプロセスの流れ図である。
【図５】ここにおけるさらなるの例に従ったプロセスの流れ図である。
【図６Ａ】本開示の例に従ったハウジングを有するベースユニットの図である。
【図６Ｂ】本開示の例に従ったハウジングを有するベースユニットの図である。
【図７Ａ】本開示の例に従ったベースユニットの送信コイルの配置を描く図である。
【図７Ｂ】本開示の例に従ったベースユニットの送信コイルの配置を描く図である。
【図７Ｃ】本開示の例に従ったベースユニットの送信コイルの配置を描く図である。
【図８Ａ】本開示のさらなる例に従ったベースユニットの送信コイルの配置を描く図である。
【図８Ｂ】本開示のさらなる例に従ったベースユニットの送信コイルの配置を描く図である。
【図８Ｃ】本開示のさらなる例に従ったベースユニットの送信コイルの配置を描く図である。
【図９】ここにおけるさらなる例に従ったパック形態のベースユニットを描く図である。
【図１０】本開示に従った一例の送信機及び受信機を描く図である。
【図１１】本開示のいくつかの例に従ったワイヤレスパワー転送システムのシミュレーション結果を描く図である。
【図１２】本開示のさらなる例に従ったワイヤレスパワー転送システムのシミュレーション結果を描く図である。
【図１３】本開示のいくつかの例に従ったワイヤレスパワー転送システムとＱ標準システムとの間の比較を描く図である。
【図１４】ここにおけるいくつかの例に従った誘導的に結合された送信及び受信コイルの磁場線を描く図である。
【図１５】本開示のいくつかの例に従ったベースユニット、カメラ、及びセンサを含むワイヤレスカメラシステムを描く図である。
【図１６】火器、ホルスタ、ベースユニット、カメラ、及びセンサを含む一例のワイヤレスカメラシステムを描く図である。
【図１７】懐中電灯、ベースユニット、カメラ、及びセンサを含む一例のワイヤレスカメラシステムを描く図である。
【図１８】ヘッドギア、ベースユニット、カメラ、及びセンサを含む一例のワイヤレスカメラシステムを描く図である。
【００２４】
【図１９】ヘッドギア、ベースユニット、カメラ、及びセンサを含む一例のワイヤレスカメラシステムを描く図である。
【図２０】ユーザ、火器、ホルスタ、懐中電灯、ヘッドギア、カメラ、及びベースユニットを含む一例のワイヤレスカメラシステムを描く図である。
【図２１】ここにおけるさらなる例に従ったベースユニット、センサ、及びカメラを使用するプロセスの流れ図である。
【発明を実施するための形態】
【００２５】
電子デバイスにワイヤレスでパワーを与えるシステム、方法、及び装置が記述される。ここにおける例に従ったシステム及び方法は、商業的に利用可能なシステムより大きな距離を隔てて、パワー送信及び受信コイルの間でワイヤレスパワーを提供し得る。付加的な効果は、以下のさらなる記述から理解されるように、記録の改良された便利さ、重要なイベントの自動記録、カタログされて記録されるべきデータ量の低減、及びその他の恩恵であり得る。
【００２６】
ここにおけるいくつかの例に従うと、ワイヤレスカメラシステム、より具体的にはワイヤレスパワー転送（例えば、適度な周波数依存性を示す比較的広い共鳴増幅を有する弱共振システム）を利用するワイヤレスカメラシステムが記述される。一例では、カメラは、火器、懐中電灯、ヘッドギア、又は法執行者、セキュリティ要員、又はその他の者によって装着されるその他の物品に搭載され得る。カメラは、離れたベースユニットによってワイヤレスにパワーを与えられ得る。ベースユニットは、センサ（例えば、カメラが搭載されているデバイス上に搭載されたセンサ）から状態を受け取り、その状態に基づいて選択的にワイヤレスにカメラにパワーを与え得る。カメラは、パワーが与えられているときに自動的にデータを記録及び送信するように構成され得る。
【００２７】
ここに開示されたワイヤレスパワー送信のいくつかの例によれば、誘導コイルの相対サイズ及びコイル間の方向への依存性は、１００を超えるＱ値を示す強い共振結合を有する商業的に利用可能なシステムにて典型的に見出されるコイルサイズ及び方向へのそのような依存性に比べて、低減され得る。本開示に従ったいくつかの例では、ワイヤレスパワー転送システムは１００よりも小さいＱ値で動作し得る。Ｑ値は１／Ｒ√（Ｌ／Ｃ）と表現され得て、Ｒは抵抗、Ｌはインダクタンス、Ｃはキャパシタンスである。Ｑはまたω０／２Γとも表現され得て、ω０は周波数であり、Γは損失係数であってＲ／Ｌに等しい。
【００２８】
典型的には空芯コイルを使用する商業的に利用可能なシステムとは異なって、ここにおけるいくつかの例によれば、コイル間の磁場の形状は、例えばフェライトのような高透磁率を有する媒質を使用することによって増加され得る。いくつかの例によれば、ガイドされた磁束又は部分的にガイドされた磁束が、所与の方向でシステムの性能を改善するために使用され得る。適切な周波数、例えば人体に安全な周波数が、パワー発信のために使用される。発信周波数は、遮蔽効果からの結果として生じ得る損失を低減するように、調整され得る。
【００２９】
ここにおけるいくつかの例によれば、ワイヤレス磁気共鳴エネルギー、共振誘導結合、又は電磁誘導は、実質的に同じ周波数で共鳴するようにチューニングされたコイル間での電気エネルギーのニアフィールド・ワイヤレス送信を指し得る。共振転送は、振動電流が流れるコイルリングを使用して、振動磁場を生成し得る。コイルが高共振であれば、そのときにはコイルに置かれたエネルギーが比較的ゆっくりと非常に多くの周期を掛けて減衰し得るが、第２のコイルが近くに置かれていると、そのコイルは、いくらかの距離だけ離れているときであってさえ、失われる前にエネルギーの多くをピックアップすることができる。受け取られたエネルギーは、スーパーキャパシタのようなエネルギー貯蔵ユニットに蓄えられ得る。一例では、スーパーキャパシタは、その重量の１５〜３５Ｗｈ／ｋｇまで電気エネルギーを蓄えることができ得る。蓄えられたエネルギーは、必要とされるときに電子デバイスによって、そのルーチンの動作のために必要とされる電圧で、利用されることができる。一例では、システムは送信機及び受信機からなり、これらは正確に同じ周波数にチューニングされた磁気ループアンテナを含む。他の例では、システムは、正確に同じ周波数にチューニングされた磁気ループアンテナを含む送信機及び受信機を含み得る。進行する電磁波に基づくファーフィールド・ワイヤレスパワー送信システムとは異なって、ここに記述される例は、変圧器で見出されるものと同様の磁場を通した共振誘導結合を提供し得るが、一次コイル及び二次巻線は物理的に離れていてよく、共振して磁気結合を増すようにチューニングされ得る点が異なっている。一次コイルによって生成されるこれらのチューニングされた磁場は、離れた機器の整合された二次巻線とは積極的に相互作用するが、無線信号又は生体組織のような任意の周囲の物体又は材料とははるかに弱く相互作用するように、構成され得る。
【００３０】
共振結合は、ニアフィールド共振結合、ミッドフィールド共振結合、及びファーフィールド共振結合を含み得る。ニアフィールド共振結合は、送信及び受信コイルがそれらコイルの直径の５倍以下の距離だけ離れて配置されている共振結合を意味し得る。ニアフィールドは高効率であり得るが、２つの結合されたコイルの所定の角度方向には強くは依存し得ない。ミッドフィールド共振結合は、送信及び受信コイルの間の距離がそれらコイルの直径の約５倍から約１０００倍である共振結合を意味し得る。ミッドフィールド共振結合は、２つの結合されたコイルの所定の相対的な角度方向に、比較的依存し得る。エネルギー又は電子信号のミッドフィールドワイヤレス転送は、８０％までのエネルギー転送効率を有する受信機とアンテナとの間の高効率磁気共鳴結合を利用して、広範囲の相対角度方向（例えば４０〜７０度）及び約１〜２メートルまでの距離に渡って、可能であり得る。ファーフィールド共振結合は、送信及び受信コイルの間の距離がそれらコイルの直径の１０００倍を超える結合を意味し得る。ファーフィールド共振結合は、２つの結合されたコイルの角度方向がそれほど重要ではなくてよい。２つの結合されたコイルのインピーダンス整合が使用され得る。
【００３１】
高いクォリティファクタの共振器は、より低い結合率で、より長距離に渡って、且つより高い位置決め自由度にて、効率的なエネルギー転送を可能にする。高共振テクニックは、エネルギーを転送するために磁場を使う。これはまた、磁気共鳴とも呼ばれることができる。高共振ワイヤレスエネルギー転送又は高共振ワイヤレスエネルギー転送は、ある距離範囲並びに様々な位置決めの位置及び方向に渡って（パワー及び／又はデータの形態で）エネルギーを転送する能力を提供する。従来の誘導結合に対して、高共振結合を使うことによって、位置角度は、より許容されやすくなり得る。並びに、ベースユニット又は電子ウエアラブルデバイスシステムの内部に置かれた複数のコイルを有することによって、ワイヤレスエネルギー転送の効率がさらに改善され得る。モバイルベースユニットは、誘導結合、共振結合、又はその両方を通して、電子ウエアラブルデバイスの電子回路に対して断熱的に電磁パワーを転送し得る。
【００３２】
図１は、本開示のいくつかの例に従って一つ又はそれ以上の電子デバイスにワイヤレスにパワーを与えるシステムのブロック図を示す。このシステム１０は、ベースユニット１００、及び一つ又はそれ以上の電子デバイス２００を含む。ベースユニット１００は、ベースユニットからある距離だけ離れ得る一つ又はそれ以上の電子デバイス２００に、ワイヤレスにパワーを提供するように構成される。ベースユニット１００は、電子デバイスがベースユニット１００の閾値距離（例えば充電範囲又は充電ゾーン１０６）の内部に留まる間に、電子デバイス２００にワイヤレスにパワーを提供するように構成される。ベースユニット１００は、ベースユニット１００の近傍内（例えば充電範囲内）にあると検出された任意の数の電子デバイス（例えば１、２、３、４、５、６、７、８、９、又は１０個であるが、いくつかの例では１０個より多くのデバイスが充電され得る）に、選択的にパワーをワイヤレスに送信し得る。電子デバイス２００は典型的には、ベースユニット１００からある距離だけ離れている間に充電される（例えば充電のためにベースユニットに結合される）が、電子デバイス２００がベースユニット１００に隣接しているか又は接触しているときにベースユニット１００が電子デバイス２００にワイヤレスにパワーを提供することが想定され、且つ本開示の範囲内である。
【００３３】
ベースユニット１００は、送信機１１０、バッテリ１２０、及びコントローラ１３０を含む。送信機１１０は、少なくとも一つの送信コイル１１２（相互交換可能にＴｘコイルと称される）を含む。送信コイル１１２は、導電性巻線を有する磁性コアを含み得る。巻線は銅ワイヤ（銅巻線とも称される）を含み得る。いくつかの例では、銅ワイヤはモノリシックな銅ワイヤ（例えば単撚線ワイヤ）であり得る。いくつかの例では、銅ワイヤは多撚線銅ワイヤ（例えばリッツワイヤ）であり得て、これはいくつかの例では表皮効果により抵抗率を低減し得て、これは、抵抗損失が低くなるために、より高い転送パワーを可能にし得る。いくつかの例では、磁性コアはフェライトコア（相互交換可能にフェライトロッドと称される）であり得る。フェライトコアは中程度の透磁率のフェライト、例えばフェアライト・コーポレーション（Ｆａｉｒ−Ｒｉｔｅ  Ｃｏｒｐｏｒａｔｉｏｎ）によって供給される７８の材料を備え得る。いくつかの例では、フェライトコアは、ドイツのヴァキュームシュメルツ社（Ｖａｃｕｕｍｓｃｈｍｅｌｚｅ）によって供給されるＶｉｔｒｏｐｅｒｍ  ５００Ｆのような高透磁率材料を備え得る。他のフェライト材料を備えるフェライトコアが使用され得る。いくつかの例では、フェライトは約２３００のマイクロ−ｉ（μ）の中程度の透磁率を有し得る。いくつかの例では、フェライトは約２００〜約５０００の範囲のマイクロ−ｉ（μ）の透磁率を有し得る。いくつかの例では、異なる磁性材料が磁性コアに使用され得る。一般的に、ここで記述される送信コイルは、磁場線が磁性コアを選択に通過するので、いくつかの例では送信コイルによって提供される場を形成する磁性コアを利用し得て、このようにして、磁束の一部が磁性コアによってガイドされる部分的にガイドされた磁束が利用され得る。
【００３４】
送信コイル１１２は、電子デバイス２００の受信コイル２１０と誘導的に結合するように構成される。いくつかの例では、送信機１１０は付加的に受信機として構成され得て、これにより相互交換的に送信機／受信機と称され得る。例えば、送信機／受信機の送信コイルは、付加的に受信コイルとして構成され得る。いくつかの例では、送信機／受信機は付加的に受信コイルを含み得る。さらに他の例では、ベースユニットが、受信コイルを備える別個の受信機１４０を含み得る。ベースユニットの送信機／受信機又は別個の受信機は、以下にさらに詳細に記述されるように、ワイヤレスにパワー（１０２）及び／又はデータ（１０４）を受信するように構成され得る。
【００３５】
いくつかの例では、送信機１１０は信号送信コイル１１２を含み得る。送信コイル１１２は最適な位置及び／又は方向に配置され得て、最適な充電ゾーン１０６を提供する。いくつかの例では、送信コイルは、デバイスの典型的な使用の間に多数の充電機会を提供するように、選択されたベースユニット内部の位置に配置され得る。例えば、送信コイル１１２は、最も頻繁に電子デバイスの近傍に来るベースユニットの側面の近くに配置され得る。
【００３６】
いくつかの例では、送信機１１０は複数の送信コイル１１２を含む。送信コイル１１２は、実質的に任意のパターンで配置され得る。例えば、ベースユニットは、お互いに角度が付けられた１対のコイルを含み得る。いくつかの例では、コイルは９０度より小さい角度、例えば１５〜７５度の間の範囲の角度で配置され得る。いくつかの例では、コイルはお互いに対して４５度で配置され得る。他の組み合わせ及び配置が使用され得て、そのいくつかの例が、以下にさらに記述される。
【００３７】
いくつかの例では、送信コイルは、ほぼ全方向性の充電ゾーン１０６（充電スフェア又はホットスポットとも称される）を提供するように配置され得る。ベースユニットの充電ゾーン１０６は、ベースユニットの周囲の三次元空間によって規定され得て、これはベースユニットからの閾値距離を全３方向（例えばｘ、ｙ、及びｚ方向）に延在する。ベースユニットの充電範囲に対応する三次元（３Ｄ）空間は、ここではスフェアとも称され得るが、充電範囲に対応する三次元（３Ｄ）空間が、形状的に厳密に球体状である必要がないことを理解されたい。いくつかの例では、充電スフェアは楕円体又は異なる形状であり得る。
【００３８】
充電ゾーン１０６内部のワイヤレスパワー転送の効率は、例えばベースユニット及び電子デバイスの送信及び受信コイルの特定の組み合わせ、並びに／あるいはコイルの特定の配置又はコイルの相対的な配置に依存して、可変であり得る。一つ又はそれ以上の送信コイル１１２が、充電ゾーン１０６の全方向性を改良し且つ／又はゾーン１０６内部のパワー送信の効率を改良するような方法で、ベースユニットのハウジング内部に配置され得る。いくつかの例では、一つ又はそれ以上の送信コイル１１２が、ベースユニットの典型的な使用の間に充電の機会を増すような方法で、ハウジング内部に配置され得る。例えば、送信コイルは、少なくとも部分的に、電子デバイスに最も近く置かれたベースユニットの一つ又はそれ以上の側面（例えば、アイウエアカメラ又はデジタル腕時計のようなウエアラブル電子デバイスの近傍に頻繁に動かされ得るモバイルフォンケースベースユニットの頂面又は側面）に沿って延在し得る。いくつかの例では、ベースユニットは、典型的な使用の間に表面（例えばテーブル又は机）に置かれ得て、電子デバイスはベースユニットの周囲に置かれ得る。いくつかの例では、ベースユニットは職務ベルトに装着され得て、充電デバイスはベルト上のベースユニットに沿ってアレイ状に配置され得る。そのような例では、送信コイルはベースユニットハウジングの縁に沿って配置され得る。他の例では、ベースユニットはホルスタと一体化されるか又は取り付けられ得て、そこに挿入された火器に取り付けられたデバイスを充電するように構成され得る。そのような例では、送信コイルはベースユニットの背面に沿って配置され得る。
【００３９】
いくつかの例では、ベースユニットは、接着性アタッチメント、弾性アタッチメント、ばねクランプ、吸引カップ、機械圧、又はその他の様な取り付け機構を介して、物品又はデバイスに取り付けられ得る。ベースユニットが取り付けられ得る物品又はデバイスは、携帯電話、ベルト、ホルスタ、ヘッドギア、懐中電灯、帽子、アイウエア、ヘルメット、ベルト、ストラップ、コート、髪留め、ネクタイ、ネクタイ留め、ボタン、シャツ、車のダッシュボード、車両のダッシュボード、車両、飛行機、腕時計、リストバンド、ネックレス、イアリング、指輪、靴を含み得るが、これらに限定されるものではない。いくつかの例では、ベースユニットは、一般に平面状の形状を有するエンクロージャ（ハウジングとも称される）に囲まれるか又は埋め込まれ得る。いくつかの例では、ベースユニットは、取り付けられることが意図されている物品に対応した形状を有するエンクロージャに、囲まれるか又は埋め込まれ得る。取り付け機構は、ベースユニットが物品又はデバイスに取り外し可能に取り付けられ得るように、ハウジングに結合され得る。一例では、取り付け機構は、クリップのような付勢部材であり得て、これは、例示のみの目的として長方形の板の形態で、ベースユニットに向かって物品又はデバイスを付勢するように構成される。例えば、クリップがベースユニットの側面の近傍に設けられ得て、ベースユニットは、紙又はノート／ノートパッドをクリップボードに取り付ける際と同様の方法で、そのクリップを介して携帯電話に取り付けられ得る（クリップ留めされ得る）。いくつかの例では、ベースユニットは、物品又はデバイスに接着的に又は弾性的に取り付けられ得る。
【００４０】
さらなる例では、ベースユニットは物品又はデバイスから別個であり得る。さらにさらなる例では、ベースユニットは物品又はデバイスに組み込まれ得る（例えば一体化され得る）。例えば、送信機１１０は、典型的な携帯電話、無線機、ウォーキートーキー、又はその他のデバイスの他の構成部品と一体化され得る。他の例では、送信機１１０は、帽子又はその他の物品のつばに一体化され得る。コントローラ１３０はデバイス内の別個のＩＣであり得て、あるいは、その機能がデバイスのプロセッサ及び／又はその他の回路に組み込まれ得る。典型的な携帯電話、懐中電灯、無線機、及びウォーキートーキーはバッテリ（例えば再充電可能なバッテリ）を含み、これがベースユニットのバッテリ１２０としても機能し得る。この方法で、物品又はデバイスは、別個の電子ウエアラブルデバイスのような電子デバイスにワイヤレスにパワーを与えるように構成され得る。
【００４１】
先述のように、ベースユニット１００はバッテリ１２０を含み得る。バッテリ１２０は、ニッケル・メタルハイドライド（ＮｉＭＨ）、リチウムイオン（Ｌｉ−ｉｏｎ）、又はリチウムイオンポリマ（Ｌｉ−ｉｏｎ  ｐｏｌｙｍｅｒ）バッテリのような再充電可能バッテリであり得る。バッテリ１２０は、他の構成部品に結合されてパワーを受け得る。一例では、バッテリ１２０は、セキュリティ車両によって充電され得る。他の例では、バッテリ１２０はエネルギー発生器１５０に結合され得る。エネルギー発生器１５０はエネルギーハーベスティングデバイスを含み得て、これが、ハーベストされたエネルギーを、貯蔵及び電子デバイスの充電での使用のためにバッテリに提供し得る。エネルギーハーベスティングデバイスは、運動エネルギーハーベスティングデバイス、太陽電池、熱電発生器、又は無線周波数ハーベスティングデバイスを含み得るが、これらに限定されるものではない。いくつかの例では、バッテリ１２０は、ユニバーサルシリアルバス（ＵＳＢ）ポートのような入力／出力コネクタ１８０に結合され得る。ここでＵＳＢポートという用語が、例えばミニ及びマイクロＵＳＢタイプインターフェースのような現時点で既知であるか又は後に開発される任意のタイプのＵＳＢインターフェースを含むことを理解されたい。現時点で既知であるか又は後に開発される他のタイプのコネクタが、付加的に又は代替的に使用され得る。Ｉ／Ｏコネクタ１８０（例えばＵＳＢポート）は、ベースユニット１００を外部デバイス、例えば外部電源又は計算デバイス（例えばコンピュータ、ラップトップ、タブレット、又は携帯電話）に接続するために使用され得る。ベースユニット１００は、一つ又はそれ以上のデバイスに対する副バッテリパックとなり得るか、又はそのようにしてもまた機能し得る。一例では、ベースユニット１００はバッテリを備えず、又は主電源としてバッテリを備えない。一例では、バッテリ１２０はベースユニットから（例えばベースユニットのハウジングの外側に）離れていてもよい。一例では、ベースユニット１００は、電源からパワーを受け取るように構成されたポートを備える。
【００４２】
送信機１１０は、動作的にバッテリ１２０に結合されて、バッテリから選択的にパワーを受け取り、そのパワーを電子デバイス２００にワイヤレスに送信する。ここで述べられるように、いくつかの例では、送信機は送信機及び受信機の機能を組み合わせ得る。そのような例では、送信機はまた、外部電源からパワーをワイヤレスに受け取るようにも構成され得る。送信の間に、パワーが送信機によってワイヤレスに発信され得て且つ近接範囲内（例えば送信機の発信距離内）の任意の受信デバイスによって受け取られ得ることを、理解されたい。
【００４３】
送信機１１０は、いくつかの例では、電子デバイス２００内の受信機に密に又は弱く結合され得る。送信機１１０と電子デバイス２００との間の距離に依存して、送信機１１０と電子デバイス２００内の受信機との間に、密な結合があってもなくてもよい。高共振結合は密な結合とみなされ得る。弱い（又は疎な）結合は、ある距離を超えた（例えば、職務ベルト上のベースユニットからユーザの手に保持されたウエアラブルデバイスまで、又は、表面上に置かれたベースユニットからベースユニットの近傍であるがその上ではない表面上に置かれたウエアラブルデバイスまで）パワー送信を可能にする。このため、例えば、送信機１１０は受信機から距離が離されていてもよい。この距離は、いくつかの例では１ｍｍ未満であり、いくつかの例では１ｍｍより大きく、いくつかの例では１０ｍｍより大きく、いくつかの例では１００ｍｍより大きく、いくつかの例では１０００ｍｍより大きくてもよい。他の例では他の距離も使用され得て、パワーがこれらの距離を超えて転送され得る。送信機１１０及び電子デバイス２００内の受信機は、ある場合には弱く結合され得て、且つ他の場合には強く結合され得る。
【００４４】
送信機１１０及び電子デバイス２００内の受信機は、各々がインダクタンス、キャパシタンス、及び抵抗を有するインピーダンス整合回路を含み得る。インピーダンス整合回路は、送信機１１０のインピーダンスを調整して、通常の期待される負荷の下で受信機のインピーダンスとより良く整合するように機能し得る。ただし、ここで記述される例では、送信機及び受信機は、異なるサイズ及び／又はその他の特性を有する送信及び受信コイルをそれぞれ有し得て、受信機及び送信機のインピーダンスはインピーダンス整合回路によっては整合され得ないが、インピーダンス整合回路は送信機及び受信機のインピーダンスの相違を低減し得る。送信機１１０は一般的に、身体に安全な周波数、例えばいくつかの例では５００ｋＨｚ未満、いくつかの例では３００ｋＨｚ未満、いくつかの例では２００ｋＨｚ未満、いくつかの例では７５ｋＨｚ〜１７５ｋＨｚの間、いくつかの例では１２５ｋＨz、いくつかの例では１００ｋＨｚ未満で提供され得るワイヤレスパワー信号を提供し得るが、他の周波数も使用され得る。いくつかの例では、周波数は、１００ｋＨｚ〜１ＧＨｚ、１ｋＨｚ〜１ＧＨｚ、及び１００ｋＨｚ〜１０ＧＨｚの範囲内であり得る。他の例では、周波数は１ＭＨｚ〜１ＧＨｚの範囲内であり得る。他の例では、周波数変調は１３．６ＭＨｚ±５％であり得る。
【００４５】
パワーの送信／発信は、パワーが発信されているときにコントローラが制御するような選択的であり得る。ベースユニットは、バッテリ１２０及び送信機１１０に結合されたコントローラ１３０を含み得る。コントローラ１３０は、さらに記述されるように、送信機１１０に選択的にパワーを送信させるように構成され得る。充電器回路がバッテリ１２０に接続され得て、バッテリを過充電から保護する。充電器回路はバッテリ１２０の充電レベルをモニタし得て、バッテリ１２０が満充電されたことを検出すると充電をオフする。充電器回路の機能は、いくつかの例では、コントローラ１３０内に組み込まれ得るか、又は、別個の回路（例えば別個のＩＣチップ）であり得る。
【００４６】
いくつかの例では、ベースユニットはメモリ１６０を含み得る。メモリ１６０は、ベースユニット１００へ及びそこから送信されるデータの保存のために、送信機１１０及び／又は任意の付加的な送信機及び／又は受信機（例えば受信機１４０）に結合され得る。例えば、ベースユニット１００は、電子デバイス２００へ及びそこからワイヤレスにデータを通信するように構成され得る。例えば、ベースユニットは電子デバイスで獲得された画像、音声、及び／又は動画を受け取り得て、及び／又は構成データを電子デバイスに送信し得る。ベースユニットは一つ又はそれ以上のセンサ１７０を含み得て、これはコントローラに動作的に結合され得る。センサ１７０は、送信機がコントローラ１３０からの制御下で選択的に及び／又は調整可能にパワーを提供し得るように、ベースユニットのステータスを検出し得る。センサ１７０は、ベースユニットのステータス、又は外部温度、ユーザの心拍数、及び／又はその他のステータス（複数又は単数）のようなベースユニットの外部状態を検出し得る。いくつかの例では、ベースユニットは、マイク、音声レコーダ、音声再生ユニットをさらに含み得る。
【００４７】
電子デバイス２００は、実質的に任意の機能、例えば、ウエアラブルカメラ、電子時計、電子バンド、及びその他のそのようなスマートデバイスとして構成された電子デバイスを提供するように、構成され得る。電子デバイスの特定の機能を実行するように適合された回路に加えて、電子デバイス２００はさらに、ワイヤレス充電に関連する回路を含み得る。電子デバイス２００は少なくとも一つの受信コイル２１２を含み得て、これは、電子デバイス２００上の再充電可能パワーセルに結合され得る。電子デバイスの典型的な使用の間におけるユーザに対して非侵襲的な又は最小限に侵襲的な方法での頻繁な充電が、ここでの例に関連した受信及び送信コイルの間のワイヤレス結合を介して達成され得る。
【００４８】
いくつかの例では、電子デバイスはウエアラブル電子デバイスであり得て、これはここでは相互交換的に電子ウエアラブルデバイスと称され得る。電子デバイスは、ユーザによって容易に携帯されるほどに十分に小さいフォームファクタを有し得る。電子デバイス２００は、衣服、ユーザによって装着されるアクセサリ（例えばアイウエア又はヘッドギア）、あるいはユーザによって持ち運ばれる物品又はデバイス（例えば火器又は懐中電灯）に取り付け可能であり得る。例えば、電子デバイス２００は、アイウエアに組み込まれたガイド６（例えばトラック）を使用してアイウエアに取り付けられ得る。いくつかの例では、電子デバイス２００は小型化されたカメラシステムであり得て、これはいくつかの例では、火器に取り付けられ得る。他の例では、電子デバイスは、画像表示システム、エアクォリティセンサ、ＵＶ／ＨＥＶセンサ、歩数計、夜間ライト、ブルートゥース（登録商標）ヘッドセットのようなブルートゥース可能な通信デバイス、補聴器、又は音声システムのような、任意の他のタイプの電子システムであり得る。いくつかの例では、電子デバイスは身体に、例えば手首の周囲に装着され得る（例えば電子時計、又は歩数計のような生体計測デバイス）。電子デバイス２００は、描写された特定の例以外の他のタイプの電子デバイスであってもよい。電子デバイス２００は、実質的に任意の小型化された電子デバイス、例えば且つ制約無しに、カメラ、画像獲得デバイス、ＩＲカメラ、静止カメラ、ビデオカメラ、画像センサ、反復器、共振器、センサ、音声増幅器、指向性マイク、電子部品を支持するアイウエア、分光器、指向性マイク、マイク、カメラシステム、赤外ビジョンシステム、夜間ビジョンエイド、夜間ライト、照明システム、センサ、歩数計、ワイヤレスセルホン、携帯電話、ワイヤレス通信システム、プロジェクタ、レーザ、ホログラフデバイス、ホログラフシステム、ディスプレイ、無線機、ＧＰＳ，データストレジ、メモリストレジ、電源、スピーカ、落下検出器、覚醒モニタ、ジオロケーション、パルス検出、ゲーミング、視線追跡、瞳モニタリング、アラーム、ＣＯセンサ、ＣＯ検出器、ＣＯ２センサ、ＣＯ２検出器、気中粒子センサ、気中粒子メータ、ＵＶセンサ、ＵＶメータ、ＩＲセンサ、ＩＲメータ、熱センサ、熱メータ、劣気センサ、劣気モニタ、悪呼吸センサ、悪呼吸モニタ、アルコールセンサ、アルコールモニタ、動きセンサ、動きモニタ、温度計、煙センサ、煙検出器、錠剤リマインダ、音声再生デバイス、音声レコーダ、スピーカ、アコースティック増幅デバイス、アコースティックキャンセリングデバイス、補聴器、聴覚援助デバイス、広報イヤホン、スマートイヤホン、スマートイヤウエアラブル、動画再生デバイス、動画レコーダデバイス、画像センサ、落下検出器、覚醒センサ、覚醒モニタ、情報アラートモニタ、健康センサ、健康モニタ、フィットネスセンサ、フィットネスモニタ、生理学的センサ、生理学的モニタ、ムードセンサ、ムードモニタ、ストレスモニタ、歩数計、動き検出器、ジオロケーション、パルス検出、ワイヤレス通信デバイス、ゲームデバイス、電子部品を備えるアイウエア、拡張現実感システム、疑似現実感システム、視線追跡デバイス、瞳センサ、瞳モニタ、自動リマインダ、ライト、アラーム、セルホンデバイス、電話、携帯通信デバイス、劣気質警告デバイス、睡眠検出器、居眠り検出器、アルコール検出器、温度計、屈折誤差測定デバイス、波面測定デバイス、収差計、ＧＰＳシステム、煙検出器、錠剤リマインダ、スピーカ、運動エネルギー源、マイク、プロジェクタ、仮想キーボード、顔認証デバイス、声認証デバイス、音認証システム、放射能検出器、放射線検出器、ラドン検出器、湿気検出器、湿度検出器、気圧計、騒音計、ノイズ計、アコースティックセンサ、距離計、レーザシステム、トポグラフィセンサ、モータ、マイクロモータ、ナノモータ、スイッチ、バッテリ、ダイナモ、熱パワー源、燃料電池、太陽電池、運動エネルギー源、熱電パワー源、スマートバンド、スマート時計、スマートイアリング、スマートネックレス、スマート衣服、スマートベルト、スマート指輪、スマートブラ、スマートシューズ、スマート履物、スマート手袋、スマート帽子、スマートヘッドウエア、スマートアイウエア、及びその他のそのようなスマートデバイスのような実質的に任意の小型化された電子デバイスであり得る。いくつかの例では、リストされた構成部品の一つ又はそれ以上がベースユニットに一体化され得る。いくつかの例では、電子デバイス２００はスマートデバイスであり得る。いくつかの例では、電子デバイス２００は微小ウエアラブルデバイス又は埋め込まれたデバイスであり得る。
【００４９】
電子デバイス２００は、ベースユニット１００の送信機（例えばＴｘコイル１１２）と誘導的に結合するように構成された受信機（例えばＲｘコイル２１２）を含み得る。受信機は、電子デバイス及びこれより受信機がベースユニットの近傍内にいるときに（例えば電子デバイスがベースユニットから所定の距離にあるか又は充電範囲内にあるときに）、ベースユニットから自動的にパワーを受け取るように構成され得る。電子デバイス２００は、電子デバイスのオンボードパワーセルに、過剰なパワーを蓄え得る。電子デバイスのオンボードパワーセルは、ベースユニットのバッテリよりも著しく小さくてよい。パワーセルの頻繁な再充電は、通常の使用中にベースユニットの近傍内に頻繁にくる電子デバイスによって、行われ得る。例えば、アイウエアに結合されたウエアラブル電子デバイス及びセルホンケースの形態のベースユニットの場合、通常の使用中に、セルホンは、電話をするために頻繁にユーザの頭の近傍に持ってこられて、そのときに、ウエアラブル電子デバイスのオンボードパワーセルの再充電が達成され得る。他の例として、搭載された電子デバイスを有する火器は、通常の使用中に、火器の電子デバイスをワイヤレスに再充電するベースユニットを含み得るホルスタに置かれ得る。ウエアラブル電子デバイスがリストバンド又はアームバンドに結合された電子時計又は生体計測センサを備えるいくつかの例では、ウエアラブル電子デバイスは、そのセルホンに近づくユーザ及びウエアラブル電子デバイスの近傍内に到来するセルホンケースの形態のベースユニットによって、頻繁に再充電され得る。いくつかの例では、電子デバイスはエネルギーハーベスティングシステムを含み得る。
【００５０】
いくつかの例では、電子デバイス２００はバッテリを含まないかもしれず、その代わりに、ベースユニット１００から受け取ったワイヤレスパワーによって直接的にパワーを与えられてもよい。いくつかの例では、電子デバイス２００は、Ｒｘコイル２１２に動作的に結合されたキャパシタ（例えばスーパーキャパシタ又はウルトラキャパシタ）を含み得る。
【００５１】
ワイヤレスパワー転送を適用する現存のシステムでは典型的に、送信及び受信コイルは同じか又は実質的に同じコイル比を有し得る。しかし、本開示に従って、より小さいフォームファクタの小型化された電子デバイスが与えられると、そのような具現化は実用的ではなくなるかもしれない。ここにおけるいくつかの例では、受信コイルは、図２に描かれるように、送信コイルよりも顕著に小さくてもよい。いくつかの例では、Ｔｘコイル１１２は、Ｒｘコイル２１２のそれぞれの寸法（例えば、巻線２１６を形成するワイヤの長さ、巻線２１６を形成するワイヤの直径、コイル２１２の直径、巻線２１６の数、コア２１７の長さ、コア２１７の表面積）よりも大きい、例えば２倍か又はそれ以上の寸法（例えば、巻線１１６を形成するワイヤの長さ、コイル１１２の直径、巻線１１６の数、コア１１７の長さ、コア１１７の直径、コア１１７の表面積）を有し得る。いくつかの例では、Ｔｘコイル１１２の寸法は、Ｒｘコイル２１２のそれぞれの寸法よりも、２倍か又はそれ以上、５倍か又はそれ以上、１０倍か又はそれ以上、２０倍か又はそれ以上、あるいは５０倍か又はそれ以上であり得る。いくつかの例では、Ｔｘコイル１１２の寸法は、Ｒｘコイル２１２のそれぞれの寸法の１００倍までであり得る。例えば、受信コイル２１２（Ｒｘコイル）は、約０．２ｍｍのワイヤ径を有する導電性ワイヤを備え得る。このワイヤは、単撚線ワイヤであり得る。この例のＲｘコイルは、直径約２．４ｍｍ及び長さ約１３ｍｍを有し得る。Ｒｘコイルは、直径約１．５ｍｍ及び長さ約１５ｍｍのフェライトロッドを含み得る。一例では、送信コイル１１２（Ｔｘコイル）のコイルが受信コイル２１２（Ｒｘコイル）のコイルよりも厚ければ、送信コイル１１２（Ｔｘコイル）の長さは受信コイル２１２（Ｒｘコイル）よりも長くなることができる。他の例では、送信コイル１１２（Ｔｘコイル）及び受信コイル２１２（Ｒｘコイル）は、実質的に同じ長さ、巻線の数、及び厚さを有し得る。Ｒｘコイルの巻線の数は、例示のみの目的で、およそ１３０巻きであり得る。送信コイル１１２（Ｔｘコイル）は、約１．７ｍｍのワイヤ径を有する導電性ワイヤを備え得る。このワイヤは、多撚線ワイヤであり得る。この例のＴｘコイルは、直径約１４．５ｍｍ及び長さ約６７ｍｍであり得る。Ｔｘコイルは、直径約８ｍｍ及び長さ約６８ｍｍのフェライトロッドを有し得る。およそ７４巻きがＴｘコイルのために使用され得る。他の組み合わせがＴｘ及びＲｘコイルのために使用され得て、例えばおよそ３０ｃｍ又はそれ以上を超える距離においてさえ、パワー転送効率を最適化する。いくつかの例では、転送距離は１２インチを超え得る。ここにおけるいくつかの例では、Ｔｘ及びＲｘコイルは、従来のワイヤレスパワー転送システムでは典型的であり得るように、インピーダンス整合されていなくてもよい。これより、いくつかの例では、ベースユニット及び電子デバイスのＴｘ及びＲｘコイルはそれぞれ、疎に結合されていると称され得る。いくつかの例によれば、ベースユニットは低Ｑ値ワイヤレスパワー転送用に構成される。例えば、ベースユニットは、いくつかの例では５００より小さいＱ値、いくつかの例では２５０より小さいＱ値、いくつかの例では１００より小さいＱ値、いくつかの例では８０より小さいＱ値、いくつかの例では６０より小さいＱ値でのパワー転送のために構成され得て、且つ他のＱ値が使用され得る。インピーダンス整合は必要とされないが、コイルが少なくとも部分的にインピーダンス整合されている例もまた具現化されて、本開示の範囲内に入る。ここに記述されたワイヤレスパワー転送システムのＴｘ及びＲｘコイルは、典型的には疎に結合され得るが、本開示は、Ｔｘ及びＲｘコイルがインピーダンス整合されている例を排除しない。
【００５２】
受信コイル（例えばＲｘコイル２１２）は導電性巻線、例えば銅巻線を含み得る。銅以外の導電性材料も使用され得る。いくつかの例では巻線はモノリシック（例えば単撚線）又は多撚線ワイヤを含み得る。いくつかの例では、コイルを形成する金属の長さは１ｃｍ〜３００ｃｍの範囲を取ることができる。いくつかの例では、コイルは長方形、楕円形、円形、正方形、及び／又はその他の形状の形態であることができる。いくつかの例では、コアはフェライトのような磁性材料を含む磁性コアであり得る。コアは、ロッドの形状を有し得る。ＲｘコイルはＴｘコイルの寸法よりも小さい寸法を有し得て、例えば直径、長さ、表面積、及び／又はコア（例えばロッド）の質量は、Ｔｘコイルの直径、長さ、表面積、及び／又はコア（例えばロッド）の質量よりも小さくてよい。いくつかの例では、Ｔｘコイルの磁性コア（例えばフェライトロッド）は、Ｒｘコイルの磁性コア（例えばフェライトロッド）の表面積の２倍又はそれ以上の表面積を有し得る。いくつかの例では、Ｔｘコイルは、巻き戻されたときに、Ｒｘコイルの巻線のワイヤの数又は長さよりも大きな巻線数及び／又は大きなワイヤ長を含み得る。いくつかの例では、Ｔｘコイルの巻き戻されたワイヤの長さは、Ｒｘコイルの巻き戻されたワイヤの長さの少なくとも２倍であり得る。
【００５３】
Ｔｘコイルの直径は約５ｍｍ〜約２０ｍｍの範囲であり得る。いくつかの例では、Ｔｘコイルの直径は約８ｍｍ〜約１５ｍｍの範囲を取り得る。いくつかの例では、Ｔｘコイルの直径は９ｍｍ、１０ｍｍ、１１ｍｍ、１２ｍｍ、１３ｍｍ、又は１４ｍｍであり得る。コイルに対する異なる直径が使用し得る。この例の磁性コアは、磁性材料から形成された細長い円筒状のロッドとして具現化される。この例のロッドは、ベースユニット１１００の縁の周囲に配置される。いくつかの例では、ロッドはベースユニットのハウジングの頂面、底面、左面及び右面の全長に実質的に沿って延在し得る。
【００５４】
いくつかの例では、Ｒｘコイル２１２は約１０ｍｍ〜約９０ｍｍの長さ及び約１ｍｍ〜約１５ｍｍの半径を有し得る。一つの例では、１５０巻の導電性巻線が巻かれた長さ２０ｍｍ且つ直径２．５ｍｍのフェライトロッドを有するＲｘコイル２１２の性能が、約１２５ｋＨｚの周波数でパワーを発信するように構成されたＴｘコイル１１２を使ってシミュレーションされた。Ｔｘコイル１１２は、長さ約６７．５ｍｍ及び直径約１２ｍｍを有するフェライトロッドを含んだ。これらのコイルの性能は、コイルが同軸である直列方向及びコイルの軸がお互いに並列である並列方向でシミュレーションされて、実行されたシミュレーションの結果例が図１１及び図１２に示されている。直列方向では、２００ｍｍまでのコイル間距離で２０％までの送信効率が得られた。コイルが並列方向に配置された時には、性能におけるいくらかの改善が観察されて、Ｒｘコイルは距離が約３００ｍｍになるまで、送信されたパワーを受け取り続けた。本開示に従ったワイヤレスエネルギー転送システムの例は、Ｑｉ１．０標準に従って構成されたシステムによって達成可能な効率と比較された。あるシミュレーションされたシステムにおけるＴｘコイルのサイズは５２ｍｍ×５２ｍｍ×５．６ｍｍであって、シミュレーションされたＲｘコイルのサイズは４８．２ｍｍ×３２.２ｍｍ×１．１ｍｍであって、負荷インピーダンスは１ｋΩであった。シミュレーションは、いくつかのＲｘコイルのサイズについて直列配置で実行され、実行されたシミュレーション結果の例が図１３に示されている。
【００５５】
ここで図３も参照すると、一例のベースユニット３００が記述される。ベースユニット３００は、図１を参照して上述されたベースユニット１００の構成部品のいくつか又は全てを含み得る。例えば、ベースユニット３００は送信コイル３１２（Ｔｘコイルとも称される）を含み得る。送信コイル３１２は電子パッケージ３０５に結合されており、このパッケージは、一つ又はそれ以上の電子デバイスに選択的に且つ／又は調整可能にワイヤレスでパワーを提供することを含めて、本開示に従ったベースユニットの機能を実行するように構成された回路を含む。いくつかの例では、電子デバイスは、ベースユニットからは別個の電子デバイスであり得る。
【００５６】
ベースユニット３００は、ベースユニットの近傍（例えば充電スフェア）に置かれているか又は近傍内に到来した電子デバイスをワイヤレスに充電するために、モバイルワイヤレスホットスポット（例えば充電スフェア１０６）を提供し得る。一例として、ベースユニット３００は、ユーザの職務ベルト上に装着され得る火器ホルスタの形態で具現化され得て、これより、ワイヤレスパワーのホットスポットをモバイルに且つユーザによって持ち運ばれている電子デバイスに対して利用可能にする。さらに理解されるように、ユーザによって装着されている電子デバイス上のパワーセルを再充電する機会は、職務ベルトの通常の装着の間に頻繁にあり、この職務ベルトは装着者のための数多くの電子デバイスを持ち運び得て、これらはセルホン、無線機、ウォーキートーキー、懐中電灯、及びその他のデバイスを含む。
【００５７】
複数の例では、ベースユニット３００は、セキュリティ又は法執行要員の職務ベルトに一体化されるか又はそこで持ち運ばれ得る。オフィスがしばしば又は常に彼又は彼女とともに持ち運ぶユーザの職務ベルトに接続されることによるワイヤレスパワーのホットスポットは、これより有益なことにユーザとともに移動する。他の例では、ベースユニット３００は、携帯電話に取り付けられ且つユーザによって持ち運ばれ得る携帯電話ケースの形態で具現化され得て、これにより、ユーザがどこに行っても、ワイヤレスパワーのホットスポットをモバイルに且つ電子デバイスに対して利用可能にする。複数の例では、ベースユニット３００は携帯電話に一体化され得る。さらに理解されるように、ユーザによって装着されている電子デバイス上のパワーセルを再充電する機会は、携帯電話の通常の使用の間に頻繁にあり、この携帯電話は、使用されることによってウエアラブルデバイス（例えばユーザが電話をしているときにはアイウエアデバイス、ユーザがブラウズしているか又は携帯電話の他の機能を使用しているときには手首装着デバイス）の近傍に頻繁に持ち込まれ得る。
【００５８】
Ｔｘコイル３１２及びエレクトロニクス（例えば電子パッケージ３０５）はハウジング３１５に取り囲まれ得る。ハウジング３１５はポータブルなフォームファクタを有し得る。この例では、ハウジングは、デバイス又は物品に取り付けられるように構成された取り付け部材の形態で具現化される。いくつかの例では、デバイスは、携帯電話、セルラー電話、スマートフォン、双方向無線機、タブレット、ウォーキートーキーなどのような携帯通信デバイスであり得る。さらなる例では、ベースユニットのハウジングは、ベルト、ストラップ、ホルスタ、ヘッドギア、ヘッドウエア、アイウエア、衣服、スマート衣服、又はその他のものの様な物品に取り付けられるか又は一体化されるように適合された取り付け部材として具現化され得る。ハウジング３１５は、デバイス又は物品に機械的に係合するための形状を含み得る。ハウジング３１５の長さ（ｌ）、幅（ｗ）、及び厚さ（ｔ）は、それぞれ約１５０〜１８０ｍｍ、８０〜９５ｍｍ、及び１５〜２５ｍｍの範囲を取り得る。他の長さ、幅、及び厚さも、例えば所与の物品又はデバイスを収納するために且つ／又は特定のコイルサイズを収納するために、利用され得る。さらなる例では、ハウジングは、耐水、耐湿気、耐汗、耐ダスト、耐衝撃、耐落下、防水、及び／又はベースユニットのその他の特性の一つ又はそれ以上を提供するか又は寄与するように構成され得る。
【００５９】
図２の例において、ベースユニット３００は送信コイル３１２を含む。送信コイル３１２は、導電性巻線を有する磁性コアを含み得る。コアは、強磁性体材料（例えばフェライト）、磁性金属、又は合金、あるいはそれらの組み合わせで形成され得て、これらはここでは集合的に磁性材料と称され得る。例えば、フェライト、並びに鉄及びニッケルの様々な合金のような磁性材料が使用され得る。コイル３１２は、コアの周囲に設けられた導電性巻線３１６を含む。本開示の文脈において、巻線がコアの上に直接に設けられ得るが、その必要はないことが理解される。言い換えると、巻線は、図７〜８を参照して述べられるように、巻線によって規定される空間内に配置され得るコア材料から離され得る。いくつかの例では、現在の例のように巻線をコアの上に直接に巻くことによって、改良された性能が達成され得る。
【００６０】
コアは細長い部材としての形状を有し得て、且つ実質的に任意の断面形状、例えば長方形又は円形の断面形状を有し得る。細長いコアは相互交換可能にロッド、例えば円筒状又は直方体のロッドと称され得る。ロッドという用語は、コアの特定の断面形状には関わらずに、本願に従った細長いコアを指すために使用され得る。コアは、単一のロッド、又は論じられるようにパターンに配置された任意の数（例えば、２、３、４、５、６、７、８、９、１０、または１０よりも大きい任意の他の数）の離散的なロッドを含み得る。図４及び図５の例においては、限定なしに、送信コイルは、ハウジング３１５の第１の面（例えば頂面）に少なくとも部分的に沿って配置された単一の円筒状ロッドを備える。他の例では、一つ又はそれ以上のコイルが代替的に又は付加的に、ハウジング３１５の他の面、例えば底面、左面、及び／又は右面に沿って配置され得る。
【００６１】
電子パッケージ３０５（相互交換可能的にエレクトロニクス又は回路と称される）は、ハウジング３１５内に埋め込まれ得るか、又は取り外し可能であり得るカバーの背後に設けられ得る。いくつかの例では、バッテリ３２０を置き換えることが有益であり得る。そのような例では、バッテリ３２０は、残りの回路から分離可能な構成部品であり得る。バッテリ３２０は、カバーを取り外すことによってアクセスされ得る。いくつかの例では、電子パッケージ３０５は、外部電源からのエネルギーを蓄えるためにバッテリを含み得る。いくつかの例では、ベースユニット３００は、代替的に又は付加的に、距離が離れた電子デバイスにパワーを与えるときに、携帯電話からパワーを受け取り得る。いくつかの例では、ベースユニットはバッテリを必要としなくてもよく、これによって、より小さいフォームファクタさえ達成され得る。
【００６２】
ベースユニットには、一つ又はそれ以上のＩ／Ｏデバイス３８０を設けられ得る。Ｉ／Ｏデバイスは、ベースユニットと他のデバイスとの間の有線接続を介して、パワー及び／又はデータを送信及び／又は受信するために使用され得る。例えば、ベースユニットは、ＵＳＢコネクタの形態のＩ／Ｏデバイス３８０を含み得る。Ｉ／Ｏデバイス３８０（例えばＵＳＢコネクタ）は、ベースユニットを外部デバイス（例えば送電網のような電源、及び／又はその他の電子デバイス）に結合するための第１の接続側（例えばメスポート）を含み得る。Ｉ／Ｏデバイス３８０は、ベースユニットを外部デバイス（例えば携帯電話、ポータブルハードディスクドライブ、メモリカード、及び又はその他の電子デバイス）に結合するための第２の接続側（例えばオスコネクタ）を含み得る。
【００６３】
ベースユニット３００はコントローラ３３０を含み得る。コントローラは、ベースユニットの動作を制御するための機能、例えば、近傍の電子デバイスの検出、電子デバイスの検出時における選択的なワイヤレスパワー送信、ベースユニットのステータスの判定、及びベースユニットのステータスに依存した送信モードの選択を制御するための機能を含み得る。これらの機能は、計算機読み取り可能な媒体内に具現化され得るか、あるいはＡＳＩＣ又はその他の処理ハードウエア内にハード有線接続され得る。コントローラは、相互交換可能にベースユニットプロセッサと称され得る。
【００６４】
ベースユニットは一つ又はそれ以上のメモリデバイス３６０を含み得る。ベースユニットは、揮発性メモリ３６２（例えばＲＡＭ）又は不揮発性メモリ３６４（例えばＥＥＰＲＯＭ、フラッシュ、又はその他の永続性電子ストレジ）を含み得る。ベースユニットは、外部電子デバイスとの有線又はワイヤレス接続を通じてデータ（例えばユーザデータ、構成データ、動画データ、画像データ、音声データ、センサデータ）を受け取るように構成され得て、それらのデータをベースユニットにオンボードで（例えばメモリデバイス３６０の一つ又はそれ以上に）保存し得る。ベースユニットは、所望され得る様に、ベースユニットにオンボードで保存されたデータを外部の電子デバイスに送信するように構成され得る。例えば、ベースユニットは、保存されたデータを他の関係部位（例えばリモートなバックアップサイト又はレビューワー）に送信し得る。他の例では、ベースユニットは受け取ったデータを、それらのデータをベースユニットにオンボードで保存するとともに又は保存することなく、他の関係部位にリレーし得る。ユーザデータに加えて、メモリデバイスは、プロセッサ（例えばプロセッサ３３０）によって実行されるとベースユニットにここに記述された機能を実行させる実行可能命令を保存し得る。
【００６５】
ベースユニット３００は充電器回路３３２を含み得て、これはバッテリ３２０を過充電から保護するように構成され得る。充電器回路は、別個のチップであり得るか、又はコントローラ３３０内に一体化され得る。ベースユニットは、ワイヤレスパワー送信のために使用されるＴｘコイル３１２に加えて、別個の送信機／受信機回路３４０を含み得る。送信機／受信機回路３４０は、受信／送信コイル３４２、例えばＲＦコイルを含み得る。送信機／受信機回路３４０はさらに、送信のためのドライバ回路３４４（例えばＲＦドライバ回路）、及び信号の受信のためにセンス回路３４６（例えばＲＦセンシング回路）を含み得る。ベースユニット３００は、ワイヤレス通信のための付加的な回路（例えば通信回路３８８）を含み得る。通信回路３８８は、ブルートゥース、Ｗｉ−Ｆｉ、セルラー、ＬＴＥ、及び／又はその他のワイヤレス通信のために構成された回路を含み得る。いくつかの例では、ベースユニット３００のコイル（例えばコイル３１２又は３４２）は、アンテナ又は受信機として機能し得る。いくつかの例では、ベースユニット３００は、ここに記述されるように、一つ又はそれ以上のセンサ３７０、及び／又は一つ又はそれ以上のエネルギー発生器３５０を含み得る。付加的な機能を提供する付加的な回路が含まれ得る。例えば、ベースユニット３００は、ウエアラブル又はマウンタブルカメラ又はマイクから受信された画像、動画、及び／又は音声の処理及び／又は強調のための画像、動画、及び／又は音声プロセッサを含み得る。一例では、画像処理機能が別個の集積回路（例えばテキサスインスツルメンツ社のＤａＶｉｎｃｉチップ）に設けられ得るか、又はコントローラ３３０の機能を具現化するプロセッサに組み込まれ得る。
【００６６】
いくつかの例では、ハウジング３１５がデバイス又は物品を受け入れるか又はそれに結合されるように構成され得る。例えば、ハウジングは、火器ホルスタの機能を提供するように構成され得るか、又は火器を受け入れるように構成され得る。例えば、ハウジングは開口を有し得て、そこに火器が受け入れられ得る。ハウジングは、火器を固定するための係合形状を含み得る。ベースユニットの一つ又はそれ以上のコイルは、ホルスタの長さに沿って、及び／又はホルスタの縁の周囲に、例えば頂面、底面、又は左及び右面のいずれかに沿って、配置され得る。いくつかの例では、ハウジング３１５は、職務ベルトのような衣服の物品に機械的に結合するように構成され得る。他の例では、ハウジング３１５は、懐中電灯、警棒、化学スプレー、あるいはその他のデバイス又は物品を受け入れるように構成され得る。
【００６７】
ここで図４及び図５も参照すると、ここにおけるいくつかの例に従ったベースユニットの動作が記述される。図４は、ベースユニット（例えばベースユニット１００又は３００）からは別個の（例えば取り付けられていない）電子デバイス２００をワイヤレスに充電するプロセス４００を描いている。ベースユニット及び／又は電子デバイス２００は、ブロック４２０に示されるように、ベースユニット及び電子デバイス２００がお互いに近接するような位置に動かされ得る。例えば、ユーザは、ベースユニット１００及び電子デバイス２００の両方を装着するか又は持ち運び得る。この期間の間に、電子デバイス２００はベースユニットの近傍（例えばベースユニットの充電範囲内）に置かれ得て、ベースユニットからワイヤレスでパワーを受信し得る。
【００６８】
ベースユニットは選択的にパワーを送信するように構成され得る。例えば、ベースユニットは、電子デバイスがパワー信号を受信するために十分なほどベースユニットに接近していない間には、エネルギーを保存するように構成され得る。ベースユニットは、互換可能な電子デバイスが近傍に検出されていないと、パワー送信を停止するように構成され得る。ベースユニットは、状態が検出されると、パワーの送信を開始及び／又は停止するように構成され得る。ベースユニットは、電子デバイスが特定の範囲の外にあると、ユーザに警告するように構成され得る。
【００６９】
パワー送信を開始するに先立って、ベースユニットは、例えばブロック４３０に示されるように、電子デバイスが近傍にあることを検出し得る。電子デバイスは、ベースユニットからある距離だけ隔てられているままの状態で、充電のために近傍に存在し得る。すなわち、電子デバイスは、電子デバイスがベースユニットに接していなくても、充電のために近傍に置かれ得る。いくつかの例では、電子デバイスは信号を発信して（ブロック４１０）、これがベースユニットによって検出され得る。この信号は、電子デバイスの存在を示す近接信号であり得る。この信号は充電ステータス信号であり得て、電子デバイス内部のパワーセル（もしあれば）の充電レベルの指標も提供する。電子デバイスがベースユニットの通信範囲内にあれば、ベースユニットは電子デバイスによって発信された信号を検出し得て、前記の信号に反応してパワー転送を開始し得る。通信範囲は、充電範囲と実質的に同じであり得る。いくつかの例では、電子デバイスがベースユニットの充電範囲内に十分にあるときのみ検出されることを確実にするために、通信範囲はベースユニットの充電範囲よりも小さくてもよい。電子デバイスは、電子デバイスの間の距離が閾値距離（例えば充電範囲）に等しいか又はそれよりも小さい限りは、近傍に留まり得る。
【００７０】
いくつかの例では、例えば電子デバイスのオンボードで利用可能なパワーが制約されていると、電子デバイスからの信号の発信は実用的ではないかもしれない。ベースユニットは代わりに、尋問信号を送信し得る。尋問信号は、連続的に又は周期的に送信され得る。電子デバイスは、尋問信号に反応して信号（例えば近接信号、充電ステータス信号、並びに以下に制約されるものではないが充電周波数、パワー要件、及び／又はコイル方向のような充電パラメータ）を送るように構成され得る。いくつかの例では、ベースユニット及び電子デバイスの両方が信号を発して、ブロック４０５及び４１０を参照して記述されたプロセスのいずれかに従って検出が実行されるような、冗長な検出機能が含まれ得る。
【００７１】
ベースユニットは、一つ又はそれ以上の条件が真である間に、電子デバイス２００にワイヤレスでパワーを送信し得る（ブロック４４０）。例えば、ベースユニットは、電子デバイスがベースユニットの充電ゾーン内に留まっている間、あるいは電子デバイスのパワーセルが完全に充電されるまで、電子デバイスにパワーを送信し続け得る。後者に関して、電子デバイスは、パワーセルが満充電されると充電ステータス信号を送信し得て、ベースユニットは満充電ステータス信号が検出されるとパワー信号の発信を終了し得る。いくつかの例では、代替的に又は満充電ステータス信号の送信に加えて、電子デバイスは、パワーセルが完全に充電されると充電をオフすることによって、電子デバイスのパワーセルを保護するように構成された充電回路を含み得る。この方法で、例えば複数のデバイスが充電されている場面において、ベースユニットが送信を続けている間に個別の電子デバイスはパワーの受信を停止し得る。
【００７２】
いくつかの例では、ベースユニットは、パワー信号を発している間に周期的に又は連続して尋問信号を送るように構成され得る。尋問信号は、近傍にある電子デバイス２００からの応答信号をトリガし得る。応答信号は、任意の電子デバイスが近傍に残っているかどうか、及び／又は近傍の任意のデバイスがパワーを必要としているかどうかを示し得る。ベースユニットは、近傍に電子デバイスが検出されなくなるまで、又は近傍の電子デバイスの全ての充電ステータス信号が満充電ステータスを示すようになるまで、パワーを発信するように構成され得る。
【００７３】
いくつかの例では、ベースユニットはさらに、パワー送信のモードを調整するように構成され得る。ベースユニットは、低パワーモード、高パワーモード、又はそれらの組み合わせでパワーを送信するように構成され得る。低パワーモードは、パワーが第１のパワーレベルで発信されるパワー転送モードに対応し得る。高パワーモードは、パワーが第１のパワーレベルよりも高い第２のパワーレベルで発信されるパワー転送モードに対応し得る。低パワーモードは、パワーが人体に安全なレベルで発信されるモードに対応し得る。ベースユニットは、ブロック４５０におけるように、ベースユニットの状態を検出するように構成され得る。例えば、ベースユニットのオンボードセンサ（例えば加速度計、ジャイロなど）はベースユニットの位置又は方向の変化、あるいは加速度の変化を検出し得るが、これらは、ベースユニットが保持されているのか又はユーザの身体に向かって動かされているのかを示し得る。コントローラは、ベースユニットが静止しているかどうかを判定し（ブロック４６０）、この判定に応答してパワーモードを変更するように構成され得る。例えば、ベースユニットが静止していると判定されると、ベースユニットは、ブロック４７０におけるように高パワーモードでパワーを送信し得る。ベースユニットが静止していないと判定されると、ベースユニットは、ベースユニットによって送信されるパワー信号のパワーレベルを下げ得る。ベースユニットは、ブロック４８０に示されるように、パワー送信のモードを低パワーモードに変更し得る。ベースユニットは、ベースユニットの状態における変化をモニタし続けて、パワーレベルをそれに従って、例えばベースユニットが再び静止していると判定されるとパワーレベルを再び高レベルに増すように、調整し得る。センサは、適切であるとき（例えば、ベースユニットが、例えば持ち運ばれているか又はユーザの身体の近傍に持ち込まれているかの結果として、動いているとき）には、パワーが安全レベルで送信されることを保証しながら、可能であるときにはパワー送信が最適化されるように、ベースユニットの状態をモニタし得る。
【００７４】
いくつかの例では、ベースユニットは、携帯電話、ウォーキートーキー、双方向無線機、又はその他の電子デバイスのような電子デバイスに通信的に結合され得る。電子デバイスはソフトウエアアプリケーションを実行するように構成され得て、これは、ベースユニット及び／又はその他の電子デバイスの一つ又はそれ以上の機能を制御するユーザインターフェースを提供し得る。例えば、ソフトウエアアプリケーションは、ユーザが、パワー発信又は尋問信号の発信スケジュールを構成するか、且つ／又は、ベースユニット及び／又はそこに結合された電子デバイスの充電ステータスをモニタすることを可能にし得る。その他の例として、ソフトウエアアプリケーションは、ユーザが、いつパワーをワイヤレス送信し、いつ記録を開始し、及び／又はいつアクションを取るかを決定するための状態を変更することを可能にし得る。いくつかの例では、ベースユニットの機能は、ベースユニットのユーザとは別個の他の関係部位（例えばリモートに位置する管理者）によって制御され得る。ソフトウエアアプリケーションはまた、暗号、画像処理、動画処理、音声処理、メタデータ（例えば日付スタンプ、位置スタンプ、透かし、認証など）の付加のような、電子デバイスからベースユニットによって受け取られたデータの処理も、可能にし得る。
【００７５】
図５は、ここにおけるさらなる例に従ったワイヤレスパワー転送のためのプロセス５００の流れ図を描いている。図５における例では、ベースユニットはデバイス（例えば携帯電話、ウォーキートーキー、又は双方向無線機）に、デバイスがコマンド信号をベースユニットに送信し得る様に、通信的に結合され得る。コマンド信号は、ブロック５０５に示されるように、尋問信号の発信を開始するコマンドであり得る。ベースユニットは、このコマンド信号に応答して尋問信号を送信し得る（ブロック５１０）。近接及び／又は充電ステータス信号は、近傍にいる一つ又はそれ以上の電子デバイスから受け取られ得る（ブロック５１５）。近傍の電子デバイスが検出されると、ベースユニットのコントローラは、パワー信号を発信するように送信機を自動的に制御し得る（ブロック５２０）。いくつかの例では、検出された電子デバイスの表示が携帯電話のディスプレイに表示され得る。デバイスはユーザの指示の下でコマンド信号を送信し得て、これは、パワー転送を開始するというコマンドであり得る。ベースユニットは、ブロック５２５に示されるように、電子デバイスの充電ステータスを（例えば尋問信号の発信及びそれに応答した電子デバイスからの充電ステータス信号の受領を介して）モニタし続け得る。ベースユニットからのパワーの発信は、ブロック５３０に示されるように、イベントの発生時に終了され得る。イベントは、充電されている一つ又はそれ以上の電子デバイスからの満充電ステータスの指標の受領、ベースユニットのバッテリにおける保存パワーの枯渇の指標の受領、又は、ベースユニットの近傍に電子デバイスが無いことの判別に対応し得る。いくつかの例では、ベースユニットが動いている（例えばユーザ５によって持ち運ばれているか又は動かされている）ことを判別すると、パワーの発信は継続され得るがパワーレベルが下げられる。
【００７６】
図６Ａ及び図６Ｂは、ここにおけるさらなる例に従ったハウジング６１５を有するベースユニット６００を描いている。ハウジング６１５は、デバイス又は物品１５に取り付けられるか又は受け入れるように構成された部分ケースであり得る。デバイス又は物品１５は通信デバイス（例えばセルホン、無線機、ウォーキートーキー、又は双方向無線機）、火器、警棒、手錠、懐中電灯、化学スプレーデバイス、又はその他のデバイス又は物品１５であり得る。ハウジング６１５は、ベースユニット６００の回路を取り囲み得る。可動カバー６１９がハウジング６１５に取り付けられ得る。可動カバー６１９は、１か所又はそれ以上の箇所でヒンジ留めされ得て、ベースユニット６００及び／又はデバイス又は物品１５にアクセスするために邪魔にならないようにカバー６１９が動かされることを許容し得る。いくつかの例では、取り付け部材がハウジング６１５、カバー６１９、又はその両方に結合され得る。取り付け部材６０３は、ユーザがベースユニット６００を便利に持ち運ぶことを許容するように構成され得る。例えば、取り付け部材６０３はクリップ、ループなどであり得て、ベースユニットを衣服、又は職務ベルトのようなアクセサリに取り付ける。可動カバー６１９は、従来のファスナ（例えばスナップ、磁気閉じ具、又はその他のもの）を介して、閉位置にて固定され得る。いくつかの実施形態では、ハウジングのファスナ又はその他の部分は、デバイス又は物品１５がアクセスされているか又は動かされているかどうかを判定するセンサによってモニタされ得る。
【００７７】
いくつかの例では、巻線の数、又は巻線に使われているワイヤの長さを最大化することが望まれ得る。一般的に平坦化された平行四辺形形状を有するベースユニットは、４つの縁面（頂面、底面、左面及び右面）及び２つの主要な面（正面及び背面）を有し得る。巻線の数、又は巻線に使われているワイヤの長さは、デバイスの縁部に巻線を配置することによって最大化される。例えば、導電性ワイヤは、ベースユニットの縁を実質的に横切るループに（例えば頂面、底面、左及び右面によって規定されるように）巻かれ得る。図７は、ベースユニット７００ａ〜ｃの例を描いており、ここでは、導電性巻線７１６がベースユニットの縁に設けられており、コア材料（例えばコアロッド７１４）が、ベースユニットの内側部分に、巻線から間隔を空けて設けられている。ベースユニット７００ａは、その中心線がベースユニットの主要な面（例えば正面又は背面）に垂直になるように配置された個別のロッド７１４を含む。ベースユニット７００ｂ及び７００ｃは、その中心線がベースユニットの縁面に平行に配置された個別のロッド７１４を含む。
【００７８】
図８は、本開示のさらなる例に従ったベースユニットの送信コイルの配置を描いている。導電性ワイヤは、ベースユニットの主要な面に実質的に平行な平面内にワイヤがあるように巻かれ得る。例えば、ベースユニット８００ａは、コアプレート８１７の形態のコア材料を含み、巻線はコアプレートの周囲に、コイルの軸がベースユニットの左及び右面に実質的に平行に巻かれている。ベースユニット８００ｂ及び８００ｃは、ベースユニット８００ａの巻線と同様な巻線８１６を含むが、コア材料として離散的なロッド８１６を使用しており、ロッドは巻線から内向きに間隔を空けられており、ベースユニットの縁側に平行に配置されている。図７及び図８の例において、非磁性材料がロッドの間の空間に設けられ得る。描かれている特定の例とは異なる巻線及びロッドの方向の組み合わせが、他の例では使用され得る。
【００７９】
ベースユニットは、比較的小さなフォームファクタを有し得る様々な形状で組み込まれ得る。ベースユニットは、ポータブルである（例えばユーザの手にフィットする且つ／又はユーザのポケット、バッグに容易に入れて持ち運びできるフォームファクタに組み込まれ得るか、又はユーザのウエアラブルアクセサリに取り付け可能であり得る）。例えば、ここで図９も参照すると、ベースユニット９００はハウジング９１５を有し得て、これは一般的に円筒形状（例えばパック形状）を有する。パックベースユニット９００は、ここで記述されたベースユニットの構成部品のいくつか又は全てを含み得て、そのような構成部品の記述は繰り返されない。例えば、ベースユニットは、送信機（例えばＴｘコイル９１２）、バッテリ、及びコントローラ（図示せず）を含み得る。ハウジング９１５は、第１の主要な面（例えばベース）及び第２の主要な面（例えば頂面）を有し得る。Ｔｘコイルは、ベースユニットの縁に沿って（例えば、円筒状の縁側に近接し、且つ少なくとも部分的に、それに沿って延在して）配置され得る。いくつかの例では、コアは円筒形状のコアプレートの形状であり得る。コイル巻線、円筒状のコアプレート、及び円筒状のパックは、同軸に位置合わせされ得る。ベースユニット９００は、ベースユニットを外部パワー及び／又はその他の計算デバイスに接続するために、一つ又はそれ以上のポート９６０を含み得る。例えば、ベースユニット９００は、ＡＣパワーを結合するための第１の入力ポート９６０−１、及びベースユニットを計算デバイス、例えばラップトップ又はタブレットに結合するための第２の入力ポート９６０−２（例えばＵＳＢポート）を含み得る。ベースユニット９００は、一つ又はそれ以上の充電ステータスインジケータ９９０を含み得る。充電ステータスインジケータ９９０は、ベースユニット、近傍の電子デバイス、又はそれらの組み合わせのステータス及び／又は充電周期に関する視覚的フィードバックを提供し得る。
【００８０】
照明デバイス９９２の形態の充電ステータスインジケータが、ベースユニットの縁の周囲又はベースユニットの主要な面の縁に設けられ得る。照明デバイスは、複数の離散的な光源を含み得る。個々の光源の個別の一つ又はグループは、充電のためにベースユニットに誘導的に結合され得る個別の電子デバイスに関するステータスインジケータを提供し得る。いくつかの例では、インジケータディスプレイ９９４が、ベースユニットの主要な面（例えば頂面）に設けられ得る。インジケータディスプレイは、充電のためにベースユニットに誘導的に結合された一つ又はそれ以上の電子デバイスに関する個別の充電ステータス指標を提供し得る。
【００８１】
インジケータディスプレイ９９４は、他のデータを表示するように構成され得る。例えば、電子デバイス２００はカメラとして構成され得て、インジケータディスプレイ９９４は、ライブの又は保存された画像のようなカメラから受け取られた視覚的な画像又は動画を表示し得る。いくつかの例では、インジケータディスプレイ９９４は、センサから受け取られたデータを表示するように構成され得る。いくつかの例では、カメラ又はマイクから受け取られた音声が、インジケータディスプレイ９９４に関連付けられたスピーカを使用して再生され得る。
【００８２】
図１０は、本開示に従ったワイヤレスパワー転送システムのための送信機及び受信機回路の構成部品を描く。システムの送信機側では、送信コイルはインダクタンスＬ１１で表されている。送信機回路は、所望の周波数で発信するようにチューニングされる。その目的のために送信機回路はキャパシタＣ１ＰＡＲ及び抵抗器Ｒ１ＰＡＲを含み、これらは送信機を所望の共振周波数にチューニングするように選択され得る。システムの受信機側では、受信コイルはインダクタンスＬ１２で表されており、キャパシタＣ２２及び抵抗器Ｒ２は、受信コイルのインダクタンス及びＣ２２及びＲ２によって作られるＲＬＣ回路を、送信コイルによって作られる送信共振周波数にチューニングするように選択される。整流器（例えば全波整流器）は、４つのダイオードＤ１、Ｄ２、Ｄ３、及びＤ４により形成される。整流器はＲＬｏａｄ、Ｃｌｏａｄ、及びＬｌｏａｄのために形成された負荷回路と組み合わされ、Ｌ２２に誘起された交流信号を、デバイスのバッテリを充電するためにＤＣ電圧出力に変換する。負荷抵抗器ＲＬｏａｄ及び負荷キャパシタＣＬｏａｄは、ダイオードブリッジをウエアラブルデバイスにて使用されるバッテリのための充電回路にインピーダンス整合させるように選択される。
【００８３】
いくつかの実施形態では、送信コイル及びこれよりインダクタンスＬ１１は、受信コイル及びそのインダクタンスＬ１２に比べて比較的大きい。送信及び受信コイルが密に近接していると、転送効率は比較的高い。より大きい距離では、効率は低減されるが、Ｑｉ標準準拠システムのような他のシステムに比べて比較的高いままである。これは図１１〜図１３に描かれている。
【００８４】
いくつかの例では、本開示に従って誘導的に結合された送信及び受信コイルの間の磁場パターンの形状は、コイルの頂部及び底部で良く確立された零になる非常に全方位的であり得る。放射パターンは、コイルを反射接地面に向けて又はその近くに配置することによって、単方位パターンの多くを生成するように方向付けられることができる。
【００８５】
図１４は、受信コイルの位置が既知又は予測可能である（例えば典型的な使用シナリオにおける）ときに送信コイルから発せられる磁場線の例、及び受信コイルにおける場を描いている。そのような例では、エネルギー転送の効率を改善するために、指向フラックスアプローチが使用され得る。
【００８６】
ワイヤレスカメラシステムは、上記で記述された実施形態の一つ又はそれ以上に従って具現化され得る。システムは、視覚的データ、音声データ、ジオロケーションデータ、日時データ、及びその他のデータを獲得するために構成され得る。
【００８７】
図１５は、ベースユニット１０００、カメラ１１００、及びセンサ１１７０を含むワイヤレスカメラシステム２０の一例を描いている。ベースユニット１０００は、ここで記述された他のベースユニット（例えばベースユニット１００又は３００）の構成部品及び特徴のいくつか又は全てを含み得る。ベースユニット１０００はカメラ１１００にパワーを提供するように構成され得る。一例では、ベースユニット１０００は、ここにおける他のベースユニットに関して記述された構成部品及び特徴を使用して（例えばカメラ１１００又はその他の電子デバイスに）ワイヤレスパワーを提供するように構成され得る。一例では、ベースユニットは、任意の種類の誘導的結合を使用して、誘導的にワイヤレスパワーを提供するように構成される。一例では、ベースユニット１０００は誘導的にパワーを提供するように構成される。一例では、カメラ１１００又はセンサ１１７０は、ベースユニットなしにスタンドアローン構成部品として動作するように構成され得る。一例では、システム２０は、一つより多くのベースユニット及び／又は一つより多くのカメラを含み得る。一例では、システム２０は、ベースユニット１０００にパワーを提供するように構成された電源を含む。電源は、ベースユニット１０００からは別個であり得るバッテリを使用して具現化され得る。電源は、有線又はワイヤレス接続を使用して、ベースユニット１０００に接続され得る。電源は、ユーザによってウエアラブルであり得る。電源は、エネルギーハーベスティングデバイスにより獲得されたエネルギーを含むか又は受け取り得る。
【００８８】
カメラ１１００は、ここで記述された電子デバイス（例えば電子デバイス２００）の構成部品及び特徴のいくつか又は全てを含み得て、画像、動画、及び／又は音声を撮影又は獲得する能力を含み得る。一例では、カメラ１１００は、１８０度の視野を有して構成された半球レンズを有するカメラであり得る。カメラ１１００は、１８０のマイクロレンズが搭載された中空のハエの眼と同様の半球状バブルの光学系を有し得る。カメラ１１００は、複数のマイクロレンズから形成された半球状レンズを有し得る。カメラ１１００は、半球レンズ、広角レンズを有し得る。一例では、カメラ１１００はＣＭＯＳ  ＡＰＳチップを含み得る。例として、カメラ１１００は、静止写真を撮影し、動画画像、赤外画像、音波画像（超音波カメラのように）、放射線画像、熱画像、Ｘ線画像、及び／又は周波数多重された画像を記録するように構成され得る。一例では、カメラ１１００は、全方位性音声、双方向性音声、指向性音声、心臓型パターンの音声、及び／又はその他の種類の音声を記録するように構成されたマイクであるか、又は、そのようなマイクを含み得る。
【００８９】
カメラ１１００は、ベルト、火器、懐中電灯、ライト、バンド、ストラップ、耳、指輪、帽子、ネックレス、時計、ブレスレット、ヘッドギア、衣服の物品、及び／又はその他の物品又はデバイスのような様々な物品又はデバイスに取り付けられるように構成されたハウジング内部に位置されるか又はそのようなハウジングを有し得る。カメラ１１００は、アイウエアによって支持され得る。カメラ１１００は、アイウエアのフレーム、アイウエアの正面、アイウエアのつる（テンプル）、及び／又はアイウエアの光学系に、埋め込まれるか又は取り付けられることができる。カメラ１１００は、アイウエアの光学系によって支持されることができる。一例では、カメラ１１００は、天井、セキュリティ支柱、ライト支柱、ライト、支柱、壁、机、及び／又はテーブルのような固定された構造に接続され得る。カメラシステムは、ダッシュボード、フード、後部、内部、又は他の位置のような車両の一部に接続され得る。
【００９０】
カメラ１１００は、バッテリのサイズの低減、バッテリの除去、ブルートゥース送受信機の除去、カメラのメモリストレジ量の低減、マイクロＵＳＢ又はその他のポートの除去、チップ（ＡＳＩＣ）上のカメラの使用、キャパシタの使用、及び／又はコイルの付加の一つ又はそれ以上によって、従来のカメラよりも小さいフォームファクタを有し得る。キャパシタ（スーパーキャパシタであることができる）は、カメラ１１００が使用されている間に必要とされれば、ワイヤレスエネルギー転送によってベースユニットからワイヤレスにパワーを与えられることができる。
【００９１】
カメラ１１００は、ベースユニット１０００によってリモートにパワーを与えられ、ベースユニット１０００からデータを受け取り、且つ／又はベースユニット１０００にデータを送信するように構成され得る。カメラ１１００及びベースユニット１０００は、データを送信及び受信するための一つ又はそれ以上の共鳴回路を備え得る。カメラ１１００は、１０００ｍｍ３未満又は５００ｍｍ３未満の体積を有するように構成され得て、且つ１００0の画像を獲得するように構成され得る。カメラ１１００は、１時間又はそれより長い動画及び／又は音声を獲得するように構成され得る。カメラ１１００及びベースユニット１０００は、０．５インチ、１フィート、２フィート、３フィート、４フィート、又はより大きな距離だけ離され得る。カメラ１１００は、物品又はデバイスの内部に位置されるか又はそこに取り付けられ得る。ベースユニット１０００及びカメラ１１００は、ワイヤレス又は直接接続により通信するように構成され得る。通信は、ワイヤレスのパワー又はエネルギー転送の通信であり得る。一例では、カメラ１１００はオンボードのメモリストレジを含み得て、ベースユニット１０００よりも少ないオンボードメモリストレジ容量を有し得る。一例では、カメラ１１００はバッテリを含み得て、ベースユニット１０００よりも少ないバッテリ容量を有し得る。
【００９２】
カメラ１１００はワイヤレスにデータを受信及び／又は送信するように構成され得る。例えば、カメラ１１００は、指示（例えば記録を開始又は停止するコマンド）、アップデート、又はその他のデータを、ベースユニット１０００からワイヤレスに受信し得る。一例では、カメラ１１００は、記録されたデータ（例えば画像、音声、及び／又は動画）をベースユニット１０００に送るように構成され得る。カメラ１１００は、転送すべきデータのサイズを減らすために、圧縮アルゴリズムを利用し得る。カメラ１１００は、画像、動画、及び／又は音声データを収集する一方で、定期的に（例えば必要とされれば）データをバッファし得る。例えば、カメラ１１００はデータをバッファに記録し、それからそのデータをバッファからベースユニット１０００に転送し得る。一例では、カメラ１１００は、記録されたデータのための長期間ストレジは含まず、その代わりに必要とされれば一時的バッファを使用して、記録されたデータのベースユニットへの転送を容易にする。
【００９３】
ベースユニット１０００は、より大きな距離におけるパワー及びデータの転送を許容する非常に狭い通信プロトコルを使用してカメラ１１００と通信するように構成され得る。ベースユニットはまた、カメラ１１００以外のデバイスとの通信のために、標準通信プロトコルを利用することもできる。カメラ１１００は、非常にパワー効率的なワイヤレスパワー及びデータ転送を許容する非常に狭い通信プロトコルを使用するように構成され得る。カメラ１１００は、そのカメラ１１００に特有のそれ自身の通信アーキテクチュア及びプロトコルを使用するように構成され得る。いくつかの例では、システムの構成部品はＲＦリンクを介して通信し得る。ベースユニットは、そのベースユニットに特有のそれ自身の通信アーキテクチュア及びプロトコルを使用し得て、カメラ１１００はベースユニットと通信する。ある実施形態では、ベースユニット及びカメラ１１００のアーキテクチュアは、ブルートゥース及びＷｉ−Ｆｉのような標準アーキテクチュアの簡略化されたバージョンであることができる。カメラ１１００は非標準のアーキテクチュア及びプロトコルを利用することができる。カメラ１１００はＡＳＩＣを備えることができる。ＡＳＩＣは、そのＡＳＩＣに特有のそれ自身の通信プロトコルを利用することができる。カメラ１１００は、ベースユニットの少なくとも一つのコイルからある距離だけ離れていて且つ共振結合されることができる少なくとも一つのコイルを備えることができる。必要であれば反復器が、カメラ１１００の２つの分かれた共振結合されたコイルの間の通信を助けるために利用されることができる。２つの分かれた共振結合されたコイルの間の共振結合効率は、８０％、７０％、６０％、５０％、４０％、３０％、２０％、１０％、又はそれ以下より低い効率を有することができて、これは依然として、カメラ１１００が低パワーを必要とすることにより、適切なワイヤレスパワー転送を提供することができる。２つの分かれた共振結合されたコイルの間の距離は、３インチ未満、６インチ、１２インチ、２４インチ、３６インチであるか、３６インチより大きいか、又はその他の距離であることができる。
【００９４】
一例では、カメラ１１００及びベースユニット１０００は１２インチ又はそれ以上離されており、カメラ１１００は１００マイクロワット又はそれ以下のパワーを使ってベースユニット１０００に画像をワイヤレスに送信するように構成され、ベースユニット１０００は、効率の損失を考慮した後に、カメラ１１００から送信された画像を受け取る。一例では、カメラ１１００は１ワット又はそれ以下のパワーで動作するように構成され、ベースユニットは１０ワット又はそれ以下のワイヤレスパワーをカメラに送信するように構成され、それによってカメラは正味のワイヤレスパワーをベースユニットから受け取り、効率の損失を考慮した後に、画像を撮影することができる。
【００９５】
カメラモジュールは、カメラ１１００に対して機能を提供し得る。カメラモジュールは、スイッチ、電源、センサ、メモリ、コントローラ、マイクロプロセッサ、マイク、音声プロセッサ、動画センサ、動画プロセッサ、画像センサ、画像プロセッサ、マイクロＵＳＢポート、及び／又はＬＥＤを備え得る。ある実施形態では、カメラモジュールはカメラ１１００内部に一体化されることができる。他の例では、カメラモジュールはカメラ１１００から分離しているが、電気的に接続されている。カメラモジュールはさらに、（Ｔｘコイル１１２又はＲｘコイル２１２のような）コイルを備え得る。カメラモジュールは、ベースユニットから受け取るパワーを補うか又は置き換えるために、太陽電池のようなエネルギーハーベスティングデバイスを含み得る。
【００９６】
システム２０は、複数のカメラ１１００を備えることができる。一例では、複数のカメラは３６０度のビューを提供するように構成され得る。例えば、３つの１２０度視野カメラ、４つの９０度視野カメラ、５つの７２度視野カメラ、６つの３６０度視野カメラ、又はその他のカメラのタイプ及び配置があり得る。複数のカメラは、共通のコイル、共通のメモリストレジ、共通のマイク、共通のセンサ、共通のＡＳＩＣ、共通のバックアップバッテリ、共通のベースユニット、又はその他のリソースを共有又は利用することができる。一例では、複数のカメラが、リモートなベースユニットのコイルに共振結合される共有のコイルを利用する。一例では、複数のカメラの各々が、特有の周波数又は周波数変調を使用して通信することができる。
【００９７】
センサ１１７０は、ここで記述された電子デバイス（例えば電子デバイス２００）の構成部品及び特徴のいくつか又は全てを含み得る。センサ１１７０は、カメラ１１００及び／又はベースユニット１０００と、ワイヤレス又は有線接続を使用して、直接的に又は間接的に通信するように構成され得る。センサ１１７０は、状態及び／又は条件を検出して、結果を保存又は送信するように構成され得る。センサ１１７０は、ベースユニット１０００からワイヤレスにパワーを受けてもよく、あるいは受けなくてもよい。一例では、センサ１１７０及びカメラ１１００は同じハウジング内に置かれる。
【００９８】
一例では、システム２０は、ライト（例えば懐中電灯、又はカメラに関連付けられたフラッシュ）、距離計、レーザ、マイク、ホルスタ、火器、音声レコーダ、及び／又はその他の物品又はデバイスを含み得る。物品又はデバイスは電子デバイス２００であってもよく、又は電子デバイス２００を備え得る。一例では、火器はレーザ照準器を備え得る。ベースユニット１０００は、これらの構成部品の一つ又はそれ以上とワイヤレスに充電及び／又は通信し得る。これらの特徴の一つ又はそれ以上はカメラ１１００、ベースユニット１０００に一体化され得て、且つ／又は別個の構成部品であってもよい。一例では、構成部品は、他の電子デバイスがチューニング又は駆動されると、オンされ且つ／又は記録を開始するように構成される。例えば、音声の記録は、カメラ１１００が記録を開始すると開始され得る。
【００９９】
ここで記述される（システム２０のような）システム及び方法は、火器、ホルスタ、ユーティリティベルト、帽子のようなものと共に、警察、軍隊、及び／又はセキュリティフォースで用途を見出し得る。ここで記述されるシステム及び方法は、デバイスを保持又は収納するための職務ベルト又はその他のウエアラブルデバイスとともに使用され得る。職務ベルト上に装着されるか又は収納されるデバイスは、無線機、ウォーキートーキー、手錠、化学スプレー、懐中電灯、弾薬、警棒、使い捨て手袋、ナイフ、マルチツール、救急手当キット、ノート、及び／又はその他のアイテムを含み得る。いくつかの例では、職務ベルトは、職務ベルトのアイテムがいつアクセスされるかを判定するためのセンサを含み得る。
【０１００】
図１６は、火器３２、ホルスタ３４、ベースユニット１２００、カメラ１３００、及びセンサ１３７０を含む一例のワイヤレスカメラシステム３０を描いている。ベースユニット１２００は、ここで記述された他のベースユニット（例えばベースユニット１００、３００、又は１０００）の構成部品及び特徴のいくつか又は全てを含み得る。ベースユニット１２００は、いくつかの例のホルスタ３４に一体化され且つ／又は結合され得る。一例では、ベースユニット１２００は、職務ベルト上に装着され得る。カメラ１３００は、ここで記述された他のカメラ（例えばカメラ１１００）の構成部品及び特徴のいくつか又は全てを含み得る。センサ１３７０は、ここで記述された他のセンサ（例えばカメラ１１７０）の構成部品及び特徴のいくつか又は全てを含み得る。
【０１０１】
火器３２は、任意のタイプの発射体を発射するように構成された武器であり得る。火器３２は、火薬に基づく火器又は致死的な武器に限定される必要はない。一例では、火器３２は、エアフォイル銃、お手玉銃（ビーンバッグ銃）、電気ショック武器、化学薬品（例えばペッパースプレー、催涙ガス、及び／又はメース）分散剤、レーザに基づく武器、音響に基づく武器、及び／又は他のデバイスのような非致死的な武器、致死的ほどではない武器、又はその他のデバイスを含み得る。ホルスタ３４は、火器３２のような武器を保持又は収納するためのデバイスであり得る。ホルスタ３４は、デバイスを収納位置に維持し得る。一例では、ホルスタ３４は、図１６に描かれたもののような火器ホルスタであり得る。一例では、ホルスタ３４は、火器ラック、火器保管庫、火器ケース、ストラップ、ポケット、カバー、及び／又は、火器又は武器を保持、収納、又は積み込むためのその他の種類のデバイス又はハウジングであり得る。一例では、ホルスタ３４はベースユニット１２００を含み得る。
【０１０２】
一例では、カメラ１３００は火器３２の下側に搭載される。他の例では、カメラ１３００は、火器３２の様々な部分に搭載又は取り付けられるように構成され得て、これは、スライド、胴、引き金ガード、握り、弾倉、照準器、フォアストック、銃口、前方握り、ハンドガード、搭載レール（例えばＮＡＴＯアクセサリレール）、又はその他の構成部品を含むが、これらに限られるものではない。他の例では、カメラ１３００は、搭載された懐中電灯又はレーザ照準器のような火器３２の現存するアクセサリに搭載され得る。カメラの配置は、火器３２の操作に干渉しないように選択され得る。一例では、カメラ１３００は火器３２の電源からパワーを受け取る。例えば、電源は、火器３２のアクセサリ（例えば懐中電灯、レーザ照準器、又はその他のアクセサリ）のための電源、あるいは火器３２それ自身のための電源（例えば火器３２が電気ショック武器であるとき）であり得る。
【０１０３】
一例では、センサ１３７０は、火器３２の状態を検出するように構成されたセンサである。センサ１３７０は、カメラ１３００の構成部品でも、カメラ１３００に関連付けられていても、且つ／又はカメラ１３００から分離されていてもよい。一例では、センサ１３７０は、火器３２、ホルスタ３４、又はその他の位置に置かれ得る。センサ１３７０は、火器３２がホルスタ３４内部にあるか、又はその他の方法で収容された位置にあるかどうかを検出するように構成され得る。一例では、センサ１３７０は光センサ又はＵＶセンサであって、火器３２が収容されているときには受光がブロックされ、火器３２が開放状態にあれば光を受ける。センサ１３７０は分離センサであって、センサ１３７０がホルスタ３４に又はその近くに位置する構成部品から離れているか又は近いかを検出する。一例では、火器３２、カメラ１３００、及び／又はセンサ１３７０は、火器３２がホルスタに収納されているときにパワーをワイヤレスで受け取るように構成され得て、且つセンサは、火器３２、カメラ１３００、及び／又はセンサ１３７０がベースユニット１２００のような外部ソースからパワーを受け取っているかどうか（例えば誘導的に又は導電的に）を検出するように構成され得る。一例では、カメラ１３００は、カメラがパワーを受けていないときにデータを記録するように構成され得る。センサ１３７０は動きセンサであってもよく、これは、ホルスタ３４から取り出されるか又はその他の方法で収容位置から取り出されて動かされている火器３２に関連した動きのパターンを検出する。他の例では、センサ１３７０は、火器３２が準備完了位置に動かされたかどうかを検出するように構成され得る。例えば、センサ１３７０は、火器３２が握られているとき、指が火器３２の引き金の近くにあるとき、火器３２のストックがユーザの身体に接しているとき、及び／又はその他の状態を検出するように構成され得る。他の例では、センサ１３７０は、火器３２が発射されたかどうかを検出するように構成され得る。センサ１３７０は、火器３２の発射に関連付けられた振動、加速、ノイズ、又はそれらの組み合わせを検出するように構成され得る。他の例では、センサ１３７０は、火器３２の安全装置が無効化されているかどうかを検出するように構成され得る。
【０１０４】
ホルスタ３４は、ホルスタ３４、又は火器３２のようなホルスタ内部に配置されたデバイスの状態を検出する一つ又はそれ以上のセンサ１３７０と共に構成され得る。この状態というのは、火器３２がホルスタ３４内部に配置されているかどうか、火器３２を所定の位置に維持するストラップが固定されているかどうか、ホルスタ３４が装着されているかどうか、又はその他の状態を含み得る。ホルスタ３４及び／又はベースユニット１２００は、火器３２がホルスタに収納されている間に、火器３２の構成部品（例えば、懐中電灯、カメラ、レーザ照準器、生体計測機、マイクロコンピュータ、及び／又は火器３２のその他の特徴又はアクセサリ）をワイヤレスに充電するように構成され得る。
【０１０５】
センサ１３７０によって検出された状態に基づいて、ベースユニット１２００はパラメータを変更し且つ／又はアクションを取り得る。例えば、アクションは、特定の電子デバイスにパワーを与えること、又は信号を送って電子デバイスに記録を開始させることであり得る。一例では、ベースユニット１２００は電子デバイスを、デバイスがホルスタ３４内にあるか又は近くにあるときには第１の充電方法を使用して充電し、デバイスがホルスタ３４から離れているがまだ充電距離内にあるときには第２の充電方法を使用して充電してもよい。ベースユニット１２００は、火器３２がホルスタ３４を離れると、自動的にカメラ１３００にパワーを与えるように構成され得る。カメラ１３００は、パワーを受けているときに自動的に記録を開始し且つ記録されたデータを送信するように構成され得る。カメラ１３００は、再充電可能バッテリを含むように構成され得て、且つカメラは、センサに基づいて自動的にオンするように構成され得る。カメラ１３００は、火器３２がホルスタ３４内部に収納されているときのように、火器３２が収納配置にあるかどうかに基づいて、記録を開始又は終了し得る。
【０１０６】
図１７は、懐中電灯４２、ベースユニット１４００、カメラ１５００、及びセンサ１５７０を含む一例のシステム４０を描いている。ベースユニット１４００は、ここで記述された他のベースユニット（例えばベースユニット１００、３００、１０００、又は１２００）の構成部品及び特徴のいくつか又は全てを含み得る。カメラ１５００は、ここで記述された他のカメラ（例えばカメラ１１００又は１３００）の構成部品及び特徴のいくつか又は全てを含み得る。センサ１５７０は、ここで記述された他のセンサ（例えばセンサ１１７０又は１３７０）の構成部品及び特徴のいくつか又は全てを含み得る。一例では、システム４０はベースユニット１４００を含まない。
【０１０７】
懐中電灯４２は、手で持つタイプ、銃搭載タイプ、ウエアラブル（例えば肩又は頭に）、及び／又は、光を提供するように構成された任意の種類の懐中電灯であり得る。一例では、懐中電灯４２は、ユーザによってあるエリアを照射するために使用されるように構成された懐中電灯（例えば警察支給の懐中電灯）、及び光を提供することによってカメラの記録をサポートするように構成された照明源（例えば記録用のカメラのフラッシュ又はスポットライト）の一方のみ又は両方であり得る。一例では、懐中電灯４２は、ベースユニット１４００に誘導的に結合されてベースユニット１４００からパワーを受け取る。一例では、懐中電灯４２は、収納位置にあるとき（例えば懐中電灯がベルトに装着されているとき）に誘導的又は導電的にパワーを受け取るように構成される。一例では、懐中電灯の電源は、ベースユニット及び／又はカメラを充電し得る。懐中電灯は、ベースユニット（例えばベースユニット１４００）を含むか又は支持し得る。
【０１０８】
カメラ１５００は、懐中電灯４２の外部表面上に配置されても、懐中電灯４２の光源に組み込まれても、懐中電灯４２の光源の間（例えば懐中電灯４２のＬＥＤ発光素子の間）に位置されても、懐中電灯４２のガラス上に置かれても、又はその他のエリアであってもよい。一例では、カメラ１５００は、懐中電灯４２から発せられた光をブロックしないか又は実質的にブロックしないエリアに位置され得る。カメラ１５００及び／又は懐中電灯４２は、懐中電灯４２からの光がカメラ１５００によって生成される画像の質に実質的に干渉しないように構成され得る。一例では、カメラ１５００はベースユニットなしに動作するように構成される。カメラ１５００は、懐中電灯４２の電源への有線又はワイヤレス接続を通してパワーを受けるように構成され得る。
【０１０９】
センサ１５７０は、懐中電灯がオンであるかオフであるかを検出又は判定するように構成され得る。センサ１５７０は、懐中電灯４２に電気的に結合され且つ／又は懐中電灯４２から離され得る。センサ１５７０は、懐中電灯４２が光を作り出しているかどうかを判定するように構成された光センサであり得て、センサ１５７０は、懐中電灯４２をオン又はオフするために使用されるボタン又はスイッチに配置されるか又は接続されて、ユーザが懐中電灯をオンしたら検知されるように構成され得る。一例では、センサ１５７０はベースユニット無しで動作するように構成され得る。センサ１５７０は、懐中電灯４２の光源からパワーを受けるように構成され得る。
【０１１０】
図１８は、ヘッドギア５２、ベースユニット１６００、カメラ１７００、及びセンサ１７７０を含む一例のワイヤレスカメラシステム５０を描いている。ヘッドギア５２は、頭に装着される任意の種類の物品であり得て、これは帽子、ヘルメット、ゴーグル、眼鏡、又はその他のヘッドギアを含むが、これらに限定されるものではない。ヘッドギア５２は（ソーラー充電器のような）エネルギーハーベスティングデバイスを含み得る。一例では、ヘッドギア５２は、伝統的に警察官によって装着される尖頭帽である。ベースユニット１６００は、ここで記述された他のベースユニット（例えばベースユニット１００、３００、１０００、１２００、又は１４００）の構成部品及び特徴のいくつか又は全てを含み得る。カメラ１７００は、ここで記述された他のカメラ（例えばカメラ１１００、１３００、又は１５００）の構成部品及び特徴のいくつか又は全てを含み得る。センサ１７７０は、ここで記述された他のセンサ（例えばセンサ１１７０、１３７０、又は１５７０）の構成部品及び特徴のいくつか又は全てを含み得る。ヘッドギア５２はプラットホームであり得て、その上にカメラ１７００が置かれる。カメラ１７００は、左面、頂面、右面、後面、又はその他の位置（例えば帽子のつば）のようなヘッドギア５２の異なる位置に置かれ得る。一例では、前方向き、側方向き、後方向き、及び／又はその他の方向へのカメラ１７００が存在する。カメラ１７００は、ヘッドギア５２の装着者がほぼ見ているもののビューを提供するように構成又は配置され得る。
【０１１１】
図１９は、ヘッドギア５２、ベースユニット１６００、カメラ１７００、及びセンサ１７７０を含む一例のワイヤレスカメラシステム６０を描いている。ヘッドギア５２は、カメラ１７００に接続可能なアンテナを含み得る。このシステム６０では、ベースユニット１６００がヘッドギア５２の一部である。一例では、ベースユニットはヘッドギア５２の正面部分に取り付けられている。ベースユニットは、ヘッドギア５２のつば、ヘッドギア５２のストラップ、ヘッドギアの内部エリア、又はその他の位置のような、他の位置に置かれ得る。カメラ１７００は、ヘッドギア５２に搭載された単一の構造上に配置され得る。
【０１１２】
図２０は、ユーザ５、火器３２、ホルスタ３４、懐中電灯４２、ヘッドギア５２、カメラ１７００、及びベースユニット１８００を含む一例のワイヤレスカメラシステム７０を描いている。ベースユニット１８００は、ここで記述された他のベースユニット（例えばベースユニット１００、３００、１０００、１２００、１４００、又は１６００）の構成部品及び特徴のいくつか又は全てを含み得る。一例では、ベースユニットは、ユーザ５の右肩上を対角線状に通るストラップに装着され得る。システム７０はまた、リモートな他の関係部位７２を含む。他の関係部位７２は、監督者、管理者、サーバ、コンピュータ、近くのセキュリティ要員、配車係、又は他の関係部位を含み得る。一例では、関係部位７２は、ユーザ５が装着したカメラ１９００及びセンサから情報を受領し得る。情報はライブであっても遅れていてもよい。ベースユニット１８００は、セルラー無線機、Ｗｉ−Ｆｉアンテナ、又はリモートな関係部位７２と通信するように構成されたその他の構成部品を含み得る。ベースユニット１８００は、特定の位置（例えばインテーネット接続を伴うエリア）に達するまでその情報を蓄えて、それから自動的に又は手作業で、情報を関係部位７２に送信するように構成され得る。
【０１１３】
図２１は、ここにおける例に従ったベースユニット、センサ、及びカメラを伴うプロセス２０００の流れ図を描いている。図２１の例では、ベースユニットは、ブロック２００５に示されるように、センサから状態を受領し得る。この状態は、ユーザが記録を開始又は終了することを望んでいることに応答した状態であり得る。センサは、火器又は懐中電灯のようなデバイスに搭載されたセンサであり得る。一例では、センサは、火器がホルスタから取り出されていること、火器がホルスタに戻されていること、火器がホルスタにあること、火器の発射準備ができていること、火器の安全装置がオフであること、火器の安全装置がオンであること、及び／又は、火器が発射されたことのような、デバイスの状態を検出し得る。他の例では、センサは懐中電灯の状態、例えば、懐中電灯がオンされていること、懐中電灯が低パワーで動作していること、フラッシュライトのパワーが無いこと、フラッシュライトがオフされたこと、及びその他の状態を検出し得る。一例では、この状態は、心拍数、血圧、ユーザの体温、又はその他の状態のようなユーザの状態であり得る。他の例では、この状態は、温度、ノイズ、湿度、毒性、又はその他の環境の状態のような環境の状態であり得る。他の例では、この状態は、速度、加速、減速、位置、又はその他の状態のような車両の状態であり得る。一例では、センサは、記録が開始されるべきであるというユーザ又は他の関係部位からの表示を検出するように構成されている。例えば、センサは、ボタンが押されたこと、スイッチが入れられたこと、音声コマンドが与えられたこと又はその他のそのような表示を示す状態を検出し得る。ある実施形態では、ベースユニットは、その状態の表示を他の関係部位に送信し得る。例えば、ベースユニットは、火器がホルスタの外にあることを示す状態を受け取り得て、ベースユニットはこの状態の表示を他の関係部位に送る。表示はイベントに関するメタデータを含み得て、これは、イベントの位置、状態に関連付けられたユーザの情報（例えば火器に関連付けられたユーザ）、及び／又はその他の情報を含むが、これらに限定されるものではない。
【０１１４】
ベースユニットは、ブロック２０１０におけるように、その状態に基づいてカメラに関するアクションを取り得る。一例では、ベースユニットは、その状態に応答してカメラにパワーを送信し得る。例えば、ベースユニットは、カメラが取り付けられた火器がホルスタにあることを示す状態に応答して、カメラにパワーを送信し得る。他の例として、ベースユニットは、あるイベントが記録されるべきであることを示す状態に応答して、カメラにパワーを送信し得る。一例では、カメラは、その状態に応答してデータを記録するように指示され得る。例えば、ベースユニット又はセンサは、火器がホルスタから出されたこと、懐中電灯がオンされていること、又は関心のあるイベントが起こりそうであることを示す状態に応答して、カメラに記録させ得る。一例では、ベースユニットは、ある規則を満たしているという状態又は複数の状態の組み合わせに応答して、カメラにパワーを送信し得る。一例では、カメラは、ユーザの心拍数が１０秒よりも長いベースラインに比較して２５％も上昇していることを心拍数センサが検出したことに反応して、記録を開始するように指示され得る。いくつかの例では、カメラは既にパワーを（例えば再充電可能バッテリから）受け取り得て、カメラは、記録の開始、記録の停止、オン、オフ、記録の保存、記録の保存の停止、又は状態に応答したその他の指示を受け取る。一例では、カメラはパワーを有しており、第１のパワーモード（例えば低パワーモード）で動作して、それから、状態に応答して第２のパワーモード（例えば、より高パワーモード）に切り替わる。第１のパワーモードでは、例えば、カメラは待機の非記録モードで動作し得て、第２のパワーモードでは、カメラは記録モードで動作し得る。カメラは、ベースユニットからの付加的なパワーの受領、及び／又はコマンドの受領に応じて、第１のパワーモードから第２のパワーモードへ切り替わり得る。一例では、カメラは、状態が受領されたデバイスに位置したカメラである。例えば、状態は火器上のセンサから収集され得て、ベースユニットはパワーを火器上のカメラに送信し得る。一例では、ベースユニットはパワー又は記録コマンドを、全ての利用可能なカメラに送信する。例えば、ベースユニットは懐中電灯がオンしていることを示すワイヤレス情報を受領し得て、その後にパワーをヘッドギア、火器、及び懐中電灯に置かれたカメラにワイヤレスに送信する。
【０１１５】
ベースユニットは、ブロック２０１５におけるように、カメラからデータをワイヤレスに受信し得る。一例では、カメラは、パワーを受信している間、且つ／又は記録して送信するように指令を受けている間に、データを記録し且つそのデータをベースユニットに送信し得る。一例では、カメラは、より後のイベントが発生するまでデータを保存する。例えば、カメラは、カメラがベースユニット又は受信機の密に近傍になるまで（例えば火器がホルスタに戻されたために）、データを記録且つ保存し得る。一例では、ベースユニットは、火器がホルスタから取り出されたという指示を受け取る。これに応答して、ベースユニットは、パワー及び／又は記録するようにという指示をカメラに送信し得て、これが記録を開始する。一例では、カメラは、センサに基づいて記録するか又は記録するように指示される。センサは、ホルスタ内の収納位置にもはや火器がないことの指示を受け取り得る。一例では、ベースユニット及び／又はカメラは、受け取ったデータを、保管、バックアップ、レビュー、又は見るために、リモートな関係部位に送信又はリレーする。一例では、受け取られたデータに関するメタデータが収集される。例えば、タイムスタンプ及び／又はジオロケーションデータが収集され得る。他の例では、カメラ及び／又はベースユニットに関連したユーザについての情報が収集される。
【０１１６】
ウエアラブルデバイスの充電システムに関する使用の場合の注意深い仕様によって、ワイヤレスパワー転送システムは、充電サイクルの間の典型的な使用期間に対してデバイスを普通に充電するために必要とされるバッテリサイズの低減を通してフォームファクタはそのまま残しながら、充電条件の改良された配置を得るために最適化されることができる。いくつかの用途では、電子デバイスは、充電を促進する様に意図的に置かれる必要がなくなり得る。これは、使用時の距離において送信されるパワーが、システムから引き出されたエネルギーをバッテリに維持するために適切であり得るからである。
【０１１７】
例に関する上記の詳細な記述は、網羅的であること、あるいは方法及びシステムを上記で開示された正確な形態に限定することは、意図していない。ワイヤレスパワー転送に関する方法及びシステムの特定の実施形態及び例が、上記で描写的な目的のために記述されたが、当業者が良く認識するように、様々な等価な改変がシステムの範囲内で可能である。例えば、プロセス又はブロックが所与の順序で提示されているが、代替的な実施形態は、異なる順序で、操作を有するルーチンを実行し又はブロックを有するシステムを使用し得て、且ついくつかのプロセス又はブロックが除去、移動、追加、分割、結合、及び／又は改変され得る。プロセス又はブロックは、その代わりに並列に実行され得て、あるいは、異なるタイミングで実行され得る。さらに、特定の例に従ったベースユニット、電子デバイス、又はシステムが、ここで記述された例のいずれかのベースユニット、電子デバイス、又はシステムの構成部品のいずれかと組み合わせて使用され得ることが理解される。
【図１】
2018511770.tif 000003
【図２】
2018511770.tif 000004
【図３】
2018511770.tif 000005
【図４】
2018511770.tif 000006
【図５】
2018511770.tif 000007
【図６Ａ】
2018511770.tif 000008
【図６Ｂ】
2018511770.tif 000009
【図７Ａ】
2018511770.tif 000010
【図７Ｂ】
2018511770.tif 000011
【図７Ｃ】
2018511770.tif 000012
【図８Ａ】
2018511770.tif 000013
【図８Ｂ】
2018511770.tif 000014
【図８Ｃ】
2018511770.tif 000015
【図９】
2018511770.tif 000016
【図１０】
2018511770.tif 000017
【図１１】
2018511770.tif 000018
【図１２】
2018511770.tif 000019
【図１３】
2018511770.tif 000020
【図１４】
2018511770.tif 000021
【図１５】
2018511770.tif 000022
【図１６】
2018511770.tif 000023
【図１７】
2018511770.tif 000024
【図１８】
2018511770.tif 000025
【図１９】
2018511770.tif 000026
【図２０】
2018511770.tif 000027
【図２１】
2018511770.tif 000028
【国際調査報告】
2018511770.tif 000029
2018511770.tif 000030
2018511770.tif 000031